(57)【要約】  入力装置（１）は、筐体（２）と、操作部（３）と、取付部（８）と、光発電部（４）と、信号処理部（７）とを備えている。操作部（３）は、筐体（２）に対して移動可能である。取付部（８）は、筐体（２）の取り付けに用いられる。光発電部（４）は、筐体（２）に保持され、筐体（２）において取付部（８）が配置された側から入射する光で発電する。信号処理部（７）は、光発電部（４）が発生した電力を受けて動作し、操作部（３）の移動に応じて生成される検知情報を無線通信により送信する。
2017130677.tif 000002
【特許請求の範囲】
【請求項１】
筐体と、
前記筐体に対して移動可能な操作部と、
前記筐体の取り付けに用いられる取付部と、
前記筐体に保持され、前記筐体において前記取付部が配置された側から入射する光で発電する光発電部と、
前記光発電部が発生した電力を受けて動作し、前記操作部の移動に応じて生成される検知情報を無線通信により送信する信号処理部と、を備えている、
入力装置。
【請求項２】
前記取付部が吸盤である、
請求項１に記載の入力装置。
【請求項３】
前記筐体は、前記筐体において前記取付部が配置された側から入射する光を透過する透過部を有している、
請求項１に記載の入力装置。
【請求項４】
前記信号処理部は、前記光発電部が発生した電力に所定の変化が発生したときに、通知情報を無線通信により送信する、
請求項１に記載の入力装置。
【請求項５】
前記操作部の移動に連動して、前記光発電部に入射する光の光量を変化させる調整部材をさらに備えており、
前記信号処理部は、前記光発電部が発生した電力の変化をもとに前記操作部の移動を検知し、前記操作部の移動の検知結果に応じて生成される検知情報を無線通信により送信する、
請求項１に記載の入力装置。
【請求項６】
前記操作部は、前記筐体に対して両方向に回転可能に配置されており、
前記調整部材は、前記操作部が一方向に回転する場合と、前記操作部が逆方向に回転する場合とで、前記光発電部に入射する光の光量に互いに異なる変化を与えるように形成されている、
請求項５に記載の入力装置。
【請求項７】
前記操作部は、前記筐体に対して両方向に回転可能に配置されており、
前記光発電部は、第１光発電部と第２光発電部とを有しており、
前記調整部材は、前記操作部の回転時に、前記第１光発電部に入射する光の光量と前記第２光発電部に入射する光の光量とに、互いに異なる位相を与える、
請求項５に記載の入力装置。
【請求項８】
受光素子と遮光部とをさらに備えており、
前記受光素子は、前記筐体において前記取付部が配置された側から入射する光を受光可能な位置に配置されており、
前記遮光部は、前記操作部の移動に連動して、前記受光素子に入射する光の光量を変化させ、
前記信号処理部は、前記受光素子の出力の変化をもとに前記操作部の移動を検知し、前記操作部の移動の検知結果に応じて生成される検知情報を無線通信により送信する、
請求項１に記載の入力装置。
【請求項９】
前記操作部は、前記筐体に対して両方向に回転可能に配置されており、
前記遮光部は、前記操作部が一方向に回転する場合と、前記操作部が逆方向に回転する場合とで、前記受光素子に入射する光の光量に互いに異なる変化を与えるように形成されている、
請求項８に記載の入力装置。
【請求項１０】
前記操作部は、前記筐体に対して両方向に回転可能に配置されており、
前記受光素子は、第１受光素子と第２受光素子とを有しており、
前記遮光部は、前記操作部の回転時に、前記第１受光素子に入射する光の光量と前記第２受光素子に入射する光の光量とに、互いに異なる位相を与える、
請求項８に記載の入力装置。
【請求項１１】
前記筐体は、前記筐体が前記取付部を介して被取付部に取り付けられた状態で、前記被取付部に接触する接触部を備えている、
請求項１に記載の入力装置。
【請求項１２】
請求項１に記載の入力装置と、表示装置とを備えており、
前記表示装置は、前記取付部が取り付けられる表示面を有する表示部と、前記表示部が表示する表示内容を制御して、前記表示内容を前記表示部に表示させる制御回路とを有している、
入力システム。
【請求項１３】
前記制御回路は、前記入力装置から無線通信により送信される情報の受信待ちを行う受信待機状態では、前記表示面における前記入力装置の取付位置を発光させるように、前記表示内容を制御する、
請求項１２に記載の入力システム。
【請求項１４】
前記操作部は、前記入力装置が前記表示面に取り付けられた取付状態であることを通知するために操作される通知操作部を含み、
前記信号処理部は、前記通知操作部が操作された場合に前記取付状態であることを通知するための起動情報を無線通信により送信する、
請求項１２に記載の入力システム。
【請求項１５】
前記制御回路は、位置が時間の経過とともに移動する特定領域を前記表示部に表示させ、
前記特定領域から出射される光エネルギーは、前記表示面における前記特定領域以外の領域から出射される光エネルギーとは異なり、
前記信号処理部は、前記光発電部が発生した電力に所定の変化が発生したときに、通知情報を無線通信により送信し、
前記制御回路は、前記表示部が前記特定領域を表示している状態で前記通知情報を受信すると、前記通知情報を受信したときの前記特定領域の位置から、前記表示面における前記入力装置の取付位置を推定する、
請求項１２に記載の入力システム。
【請求項１６】
前記入力装置は、前記筐体において前記取付部が配置された側から入射する光を受光可能な位置に配置された光検知素子をさらに備えており、
前記制御回路は、位置が時間の経過とともに移動する特定領域を前記表示部に表示させ、
前記特定領域から出射される光エネルギーは、前記表示面における前記特定領域以外の領域から出射される光エネルギーとは異なり、
前記信号処理部は、前記光検知素子の出力に所定の変化が発生したときに、通知情報を無線通信により送信し、
前記制御回路は、前記表示部が前記特定領域を表示している状態で前記通知情報を受信すると、前記通知情報を受信したときの前記特定領域の位置から、前記表示面における前記入力装置の取付位置を推定する、
請求項１２に記載の入力システム。
【請求項１７】
前記特定領域は、帯形状を有し、前記表示面における第１方向および前記表示面において前記第１方向と交わる第２方向のそれぞれに沿って移動する、
請求項１５に記載の入力システム。
【請求項１８】
前記特定領域から出射される光エネルギーが、前記表示面における前記特定領域以外の領域から出射される光エネルギーよりも小さい、
請求項１５に記載の入力システム。
【請求項１９】
前記制御回路は、前記表示面における前記入力装置の取付位置を推定した結果に応じて、前記表示面において前記入力装置の取付位置から出射される光エネルギーが所定の光エネルギーとなるように、前記表示内容を制御する、
請求項１５に記載の入力システム。
【請求項２０】
前記制御回路は、前記表示面における前記入力装置の取付位置を推定した結果に応じて、前記表示面において前記入力装置の取付位置の周りに表示する表示内容の位置を制御する、
請求項１５に記載の入力システム。
【発明の詳細な説明】
【技術分野】
【０００１】
本発明は、一般に入力装置及び入力システムに関し、より詳細には、操作部の移動に応じて検知情報を出力する入力装置及び入力システムに関する。
【背景技術】
【０００２】
従来、操作部の移動を伴う入力装置として、例えば、回転式の操作部を有する入力装置が知られている（例えば特許文献１参照）。【０００３】
特許文献１に記載の入力システムは、表示パネルを有する装置本体と、回転式の操作部を有する入力装置とを備える。表示パネルには、タッチパネルが設けられている。操作部には、タッチパネルに当接し回転操作に伴ってタッチパネル上を移動する端子が設けられている。この入力システムは、端子のタッチパネル上の移動を検知して、装置本体を操作する。そのため、操作部と装置本体とを接続する電線などがなくても、操作部は装置本体を操作することができる。【０００４】
特許文献１には、操作部の回転操作に伴って端子が移動し、この移動量が操作量としてタッチパネルで検知され、操作量に応じた装置本体の音量調節処理が実行されることが、記載されている。
【先行技術文献】
【特許文献】
【０００５】
【特許文献１】特開２０１２−３５７８２号公報
【発明の概要】
【０００６】
しかしながら、上記の入力システムでは、操作部に設けられた端子の移動量がタッチパネルで検知されるため、タッチパネルが間接的に操作されるに過ぎない。そのため、この入力システムでは、表示パネルにタッチパネルが設けられていなければ、入力システムは操作部の操作を検知することはできない。つまり、タッチパネルの使用が必須である。
【０００７】
本発明は、タッチパネルを使用しなくても操作部の操作を検知することができる入力装置及び入力システムを提供することを目的とする。
【０００８】
本発明の一態様に係る入力装置は、筐体と、操作部と、取付部と、光発電部と、信号処理部と、を備えている。操作部は、筐体に対して移動可能である。取付部は、筐体の取り付けに用いられる。光発電部は、筐体に保持され、筐体において取付部が配置された側から入射する光で発電する。信号処理部は、光発電部が発生した電力を受けて動作し、操作部の移動に応じて生成される検知情報を無線通信により送信する。
【０００９】
本発明の一態様に係る入力装置において、取付部は吸盤である。
【００１０】
本発明の一態様に係る入力装置において、筐体は、筐体において取り付け部が配置された側から入射する光を透過する透過部を有している。
【００１１】
本発明の一態様に係る入力装置において、信号処理部は、光発電部が発生した電力に所定の変化が発生したときに、通知情報を無線通信により送信する。
【００１２】
本発明の一態様に係る入力装置は、操作部の移動に連動して、光発電部に入射する光の光量を変化させる調整部材をさらに備えている。信号処理部は、光発電部が発生した電力の変化をもとに操作部の移動を検知し、操作部の移動の検知結果に応じて生成される検知情報を無線通信により送信する。
【００１３】
本発明の一態様に係る入力装置において、操作部は、筐体に対して両方向に回転可能に配置されている。調整部材は、操作部が一方向に回転する場合と、操作部が逆方向に回転する場合とで、光発電部に入射する光の光量に互いに異なる変化を与えるように形成されている。
【００１４】
本発明の一態様に係る入力装置において、操作部は、筐体に対して両方向に回転可能に配置されている。光発電部は、第１光発電部と第２光発電部とを有している。調整部材は、操作部の回転時に、第１光発電部に入射する光の光量と第２光発電部に入射する光の光量とに、互いに異なる位相を与える。
【００１５】
本発明の一態様に係る入力装置は、受光素子と遮光部とをさらに備えている。受光素子は、筐体において取付部が配置された側から入射する光を受光可能な位置に配置されている。遮光部は、操作部の移動に連動して、受光素子に入射する光の光量を変化させる。信号処理部は、受光素子の出力の変化をもとに操作部の移動を検知し、操作部の移動の検知結果に応じて生成される検知情報を無線通信により送信する。
【００１６】
本発明の一態様に係る入力装置において、操作部は、筐体に対して両方向に回転可能に配置されている。遮光部は、操作部が一方向に回転する場合と、操作部が逆方向に回転する場合とで、受光素子に入射する光の光量に互いに異なる変化を与えるように形成されている。
【００１７】
本発明の一態様に係る入力装置において、操作部は、筐体に対して両方向に回転可能に配置されている。受光素子は、第１受光素子と第２受光素子とを有している。遮光部は、操作部の回転時に、第１受光素子に入射する光の光量と第２受光素子に入射する光の光量とに、互いに異なる位相を与える。
【００１８】
本発明の一態様に係る入力装置において、筐体は、筐体が取付部を介して被取付部に取り付けられた状態で、被取付部に接触する接触部を備えている。
【００１９】
本発明の一態様に係る入力システムは、上記の入力装置と、表示装置とを備えている。表示装置は、取付部が取り付けられる表示面を有する表示部と、表示部が表示する表示内容を制御して、表示内容を表示部に表示させる制御回路とを有している。
【００２０】
本発明の一態様に係る入力システムにおいて、制御回路は、入力装置から無線通信により送信される情報の受信待ちを行う受信待機状態では、表示面における入力装置の取付位置を発光させるように、表示内容を制御する。
【００２１】
本発明の一態様に係る入力システムにおいて、操作部は、入力装置が表示面に取り付けられた取付状態であることを通知するために操作される通知操作部を含む。信号処理部は、通知操作部が操作された場合に取付状態であることを通知するための起動情報を無線通信により送信する。
【００２２】
本発明の一態様に係る入力システムにおいて、制御回路は、位置が時間の経過とともに移動する特定領域を表示部に表示させる。特定領域から出射される光エネルギーは、表示面における特定領域以外の領域から出射される光エネルギーとは異なる。信号処理部は、光発電部が発生した電力に所定の変化が発生したときに、通知情報を無線通信により送信する。制御回路は、表示部が特定領域を表示している状態で通知情報を受信したときの特定領域の位置から、表示面における入力装置の取付位置を推定する。
【００２３】
本発明の一態様に係る入力システムにおいて、入力装置は、筐体において取付部が配置された側から入射する光を受光可能な位置に配置された光検知素子をさらに備えている。制御回路は、位置が時間の経過とともに移動する特定領域を表示部に表示させる。特定領域から出射される光エネルギーは、表示面における特定領域以外の領域から出射される光エネルギーとは異なる。信号処理部は、光検知素子の出力に所定の変化が発生したときに、通知情報を無線通信により送信する。制御回路は、表示部が特定領域を表示している状態で通知情報を受信したときの特定領域の位置から、表示面における入力装置の取付位置を推定する。
【００２４】
本発明の一態様に係る入力システムにおいて、特定領域は、帯形状を有し、表示面における第１方向および表示面において第１方向と交わる第２方向のそれぞれに沿って移動する。
【００２５】
本発明の一態様に係る入力システムにおいて、特定領域から出射される光エネルギーが、表示面における特定領域以外の領域から出射される光エネルギーよりも小さい。
【００２６】
本発明の一態様に係る入力システムにおいて、制御回路は、表示面における入力装置の取付位置を推定した結果に応じて、表示面において入力装置の取付位置から出射される光エネルギーが所定の光エネルギーとなるように、表示内容を制御する。
【００２７】
本発明の一態様に係る入力システムにおいて、制御回路は、表示面における入力装置の取付位置を推定した結果に応じて、表示面において入力装置の取付位置の周りに表示する表示内容の位置を制御する。
【００２８】
本発明に係る入力装置によれば、光発電部が、筐体において取付部が配置された側から入射する光で発電することができる。そして、光発電部が発生した電力を受けて信号処理部が動作する。信号処理部は、操作部の移動に応じて生成される検知情報を無線通信により送信する。したがって、入力装置は、タッチパネルを使用しなくても操作部の操作を検知することができる。
【００２９】
本発明に係る入力システムによれば、光発電部が、筐体において取付部が配置された側から入射する表示装置の光で発電することができる。そして、光発電部が発生した電力を受けて信号処理部が動作する。信号処理部は、操作部の移動に応じて生成される検知情報を無線通信により送信する。したがって、入力システムは、タッチパネルを使用しなくても操作部の操作を検知することができる。
【図面の簡単な説明】
【００３０】
【図１】図１は、本発明の実施形態１に係る入力装置の断面斜視図である。
【図２】図２は、本発明の実施形態１に係る入力装置の分解斜視図である。
【図３】図３は、本発明の実施形態１に係る入力システムの斜視図である。
【図４Ａ】図４Ａは、本発明の実施形態１に係る入力装置の正面図である。
【図４Ｂ】図４Ｂは、本発明の実施形態１に係る入力装置の左側面図である。
【図５Ａ】図５Ａは、本発明の実施形態１に係る入力装置の位置決め状態の断面図である。
【図５Ｂ】図５Ｂは、本発明の実施形態１に係る入力装置の仮固定状態の断面図である。
【図５Ｃ】図５Ｃは、本発明の実施形態１に係る入力装置の本固定状態の断面図である。
【図６Ａ】図６Ａは、本発明の実施形態１に係る入力装置の上面図である。
【図６Ｂ】図６Ｂは、本発明の実施形態１に係る入力装置の図１における６Ｂ−６Ｂ線断面図である。
【図６Ｃ】図６Ｃは、本発明の実施形態１に係る入力装置の図１における６Ｃ−６Ｃ線断面図である。
【図７】図７は、本発明の実施形態１に係る入力システムのブロック図である。
【図８】図８は、本発明の実施形態１に係る入力システムの位置探索動作を説明するフローチャートである。
【図９Ａ】図９Ａは、本発明の実施形態１に係る入力システムで表示される前後方向に沿って移動する特定領域の説明図である。
【図９Ｂ】図９Ｂは、本発明の実施形態１に係る入力システムで表示される左右方向に沿って移動する特定領域の説明図である。
【図９Ｃ】図９Ｃは、本発明の実施形態１に係る入力システムで表示される入力用表示内容の説明図である。
【図１０】図１０は、本発明の実施形態１に係る入力システムの通常動作を説明するフローチャートである。
【図１１Ａ】図１１Ａは、本発明の実施形態２に係る入力装置の本固定状態のロック機構を下方から見た斜視図である。
【図１１Ｂ】図１１Ｂは、本発明の実施形態２に係る入力装置の位置決め状態のロック機構を下方から見た斜視図である。
【図１２】図１２は、本発明の実施形態３に係る入力装置の断面斜視図である。
【図１３】図１３は、本発明の実施形態３に係る入力装置の分解斜視図である。
【図１４】図１４は、本発明の実施形態３に係る入力装置の一部を示す下面図である。
【図１５】図１５は、本発明の実施形態３に係る入力システムのブロック図である。
【発明を実施するための形態】
【００３１】
以下、本発明の実施形態に係る入力装置及び入力システムについて、図面を参照して説明する。ただし、以下に説明する構成は、本発明の一例に過ぎず、本発明は下記の実施形態に限定されない。したがって、この実施形態以外であっても、本発明に係る技術的思想を逸脱しない範囲であれば、設計等に応じて種々の変更が可能である。
【００３２】
（実施形態１）
（１）概要
実施形態１に係る入力装置１は、図１及び図２に示すように、筐体２と、操作部３と、取付部８と、光発電部４と、信号処理部７と、を備えている。
【００３３】
操作部３は筐体２に対して移動可能である。取付部８は筐体２の取り付けに用いられる。光発電部４は、筐体２に保持され、筐体２において取付部８が配置された側から入射する光で発電する。信号処理部７は、光発電部４が発生した電力を受けて動作し、操作部３の移動に応じて生成される検知情報を無線通信により送信する。
【００３４】
入力装置１は、操作対象装置の操作に用いられる。入力装置１で生成される検知情報は、無線通信により操作対象装置に送信される。つまり、入力装置１において操作部３が操作されると、入力装置１から操作対象装置に検知情報が送信される。操作対象装置は、例えば表示装置１００（図３参照）である。なお、表示装置１００は、入力装置１から入力された検知情報に基いて、検知情報に応じた動作を別の装置に行わせてもよい。
【００３５】
本実施形態の入力装置１では、光発電部４が、筐体２において取付部８が配置された側から入射する光で発電する。筐体２が取付部８を介して表示装置１００に取り付けられた状態では、光発電部４は、表示装置１００から出力される光で発電する。そして、光発電部４が発生した電力を受けて信号処理部７が動作する。信号処理部７は、操作部３の移動に応じて生成される検知情報を無線通信により送信する。したがって、入力装置１と操作対象装置とを接続する電線などがなくても、使用者は、操作部３の操作により操作対象装置を操作することができる。よって、入力装置１は、タッチパネルを使用しなくても、入力装置１自体で操作部３の操作を検知することができる。
【００３６】
（２）詳細
以下に説明する入力装置１は、図３〜図４Ｂに示すように、操作対象装置に取り付けられた状態で使用される。操作対象装置は表示装置１００である。実施形態１に係る入力システム１０は入力装置１と表示装置１００とを備えている。入力装置１は、操作対象装置の取付面１０１に取り付けられる。操作対象装置が表示装置１００である場合、取付面１０１は表示装置１００の表示面（表示画面）である。入力装置１の操作部３が操作されると、入力装置１から表示装置１００に検知情報が無線通信により送信される。したがって、入力装置１と表示装置１００とが電線などで接続されていなくても、入力装置１が表示装置１００の入力インタフェースとして機能する。
【００３７】
表示装置１００は、タッチパネルディスプレイ１０２を備えている。そのため、表示装置１００は、基本的にはタッチパネルディスプレイ１０２のタッチ操作により、例えばタッチパネルディスプレイ１０２の表示内容を変更したり、他装置を制御したりする。さらに、表示装置１００は、表示装置１００が実行するアプリケーションソフトウェアによって入力装置１による入力操作が指示された場合、入力装置１による入力操作を使用者に要求する入力用表示内容をタッチパネルディスプレイ１０２の表示面に表示する。ここで、入力用表示内容とは、入力装置１を操作した場合の制御内容を説明する説明文、入力操作の操作ガイドを行う案内、入力装置１の操作部３の操作範囲などである。
【００３８】
使用者が表示装置１００の表示面に表示された入力用表示内容を見て操作部３を操作すると、入力装置１から表示装置１００に検知情報が無線通信により送信される。表示装置１００は、入力装置１からの検知情報を受信して、例えば他装置を制御したり、タッチパネルディスプレイ１０２の表示面に表示される表示内容を変更したりする。このように、タッチパネルディスプレイ１０２のタッチ操作と、入力装置１の操作との両方により表示装置１００が操作可能である。なお、表示装置１００がタッチパネルディスプレイ１０２を備える場合、表示装置１００の取付面１０１は、タッチパネルディスプレイ１０２の表示面である。また、表示装置１００が備えるディスプレイは、タッチパネルディスプレイ１０２に限定されない。表示装置１００は、表示のみを行う液晶ディスプレイと通信機能とを備えた装置でもよい。この場合は液晶ディスプレイの表示面が取付面１０１となる。また、入力装置１から無線通信により送信された信号は表示装置１００の通信機能によって受信される。
【００３９】
以下、特に断りがない限り、入力装置１が表示装置１００に取り付けられた状態において、取付面１０１に直交する方向を「上下方向」とし、取付面１０１から見た入力装置１側を上方として説明する。さらに、取付面１０１の長手方向を「前後方向」とし、入力装置１を前方から見たときの左右方向（上下方向に直交する方向）を「左右方向」として説明する。つまり、図１等において、「上」、「下」、「左」、「右」、「前」、「後」の矢印で示す通りに上、下、左、右、前、後の各方向を規定する。ただし、これらの方向は入力装置１の使用方向を規定する趣旨ではない。また、図面中の各方向を示す矢印は説明のために表記しているに過ぎず、実体を伴わない。
【００４０】
（２．１）構成
本実施形態に係る入力装置１は、図１〜図４Ｂに示すように、筐体２、操作部３、取付部８、光発電部４、及び信号処理部７を備えている。光発電部４は、Ａ相太陽電池４ａとＢ相太陽電池４ｂとを有する。Ａ相太陽電池４ａは、第１光発電部の一例である。Ｂ相太陽電池４ｂは、第２光発電部の一例である。また、入力装置１は、スライダ８１をさらに備えている。
【００４１】
筐体２は、例えば、合成樹脂製である。筐体２は、第１のケース２１と、第２のケース２２と、第３のケース２３とを有している。第１のケース２１及び第２のケース２２の各形状は、上下方向に扁平な円盤状である。第１のケース２１及び第２のケース２２は、それぞれ、光の透過性を有する材料（例えばポリカーボネート、アクリル樹脂など）で形成されている。第３のケース２３の形状は、上下方向の両面が開放された円筒状である。第２のケース２２は、第１のケース２１に対して上方から組み合わされている。第３のケース２３は、第２のケース２２に対して上方から組み合わされている。これにより、第２のケース２２は、第１のケース２１及び第３のケース２３に囲まれた空間に配置される。第１のケース２１と第２のケース２２とは、例えば、ビスなどによってねじ固定される。なお、第３のケース２３は、ネジによって第１のケース２１と結合されてもよい。このようにして構成される筐体２の形状は、全体として中空の扁平な円柱状である。
【００４２】
第１のケース２１の中央部には、図１及び図２に示すように、第１のケース２１を上下方向に貫通する孔２１１が形成されている。孔２１１は筐体２の下面において円形状に開口する孔である。第１のケース２１の上面には、左右方向における第１のケース２１の両端間に亘って第１溝２１２が形成されている。第１溝２１２は、第１のケース２１の上面における前後方向の中央部が下方に窪むことで形成されている。第１溝２１２内にはスライダ８１が配置される。そのため、第１のケース２１上に第２のケース２２が重なった状態では、スライダ８１は、上下方向及び前後方向の移動が規制される。
【００４３】
第１のケース２１の下面には、円形状に開口する第１凹所２１４が形成されている。入力装置１が表示装置１００に取り付けられた状態で、第１凹所２１４には、取付部８を収納する空間が形成されている。第１凹所２１４の底面は、孔２１１に近づく程に第１凹所２１４が深くなるようにテーパ状に形成されている。取付部８の上部である突出部８０１は、孔２１１を通して第１のケース２１の上面から上方に突出している。この状態で、取付部８は、突出部８０１が保持棒８３によって保持カム８２に結合されることにより、第１のケース２１に保持される。
【００４４】
第１のケース２１の下部には、第１凹所２１４の周りを囲む周壁２１５（接触部）が設けられている。筐体２が取付部８を介して表示装置１００の取付面１０１（被取付部）に取り付けられた状態では、周壁２１５が取付面１０１に接触する。これにより、取付面１０１に対する筐体２の取付状態が安定し、光発電部４と取付面１０１（表示面）との距離が一定に保たれる。そのため、光発電部４の発電量が安定する。
【００４５】
なお、第１のケース２１において、孔２１１の周りのテーパ状の部分に、光発電部４に光を集光するレンズ２１７が形成されてもよい。光発電部４の下側（表示装置１００側）に集光部であるレンズ２１７が形成されることで、光発電部４に入射する光を増やして、光発電部４の発電量を増やすことができる。なお、集光部として、レンズ２１７に代えて、表示装置１００から入射する光を光発電部４に導く導光部が形成されてもよい。これにより、光発電部４の発電量を増やすことができる。
【００４６】
第２のケース２２の上面には、遮光性を有する材料（例えば金属）で形成された２つの遮光板２２５，２２６が取り付けられている。第２のケース２２の上部において、２つの遮光板２２５，２２６の上方に、遮光性を有する材料（例えば金属）で形成された遮光板２３５が配置される。さらに、第２のケース２２の上部において、遮光板２３５の上方に、光発電部４を構成するＡ相太陽電池４ａ及びＢ相太陽電池４ｂが配置されている。Ａ相太陽電池４ａ及びＢ相太陽電池４ｂは第２のケース２２に固定されている。Ａ相太陽電池４ａは遮光板２２５の上側に位置し、Ｂ相太陽電池４ｂは遮光板２２６の上側に位置している。ここで、Ａ相太陽電池４ａと遮光板２２５との間の隙間及びＢ相太陽電池４ｂと遮光板２２６との間の隙間は、遮光板２３５の厚みよりも大きい。そのため、遮光板２３５は第２のケース２２に対して回転可能である。Ａ相太陽電池４ａ及びＢ相太陽電池４ｂに対して、光の入射側には第２のケース２２及び第１のケース２１が存在する。しかし、第１のケース２１及び第２のケース２２は光の透過性を有しているため、第１のケース２１及び第２のケース２２を透過した光が光発電部４に入射する。ここにおいて、第１のケース２１及び第２のケース２２が、光発電部４に対して光の入射側に設けられた、光を透過する透過部となる。
【００４７】
また、第２のケース２２の上面には、遮光板２２５，２２６が配置された部位の内側に、それぞれ上方に突出する複数の突起２２１が設けられている。各突起２２１は、円周方向において一定の間隔で並ぶように設けられている。第２のケース２２の上面において、複数の突起２２１が設けられた部位の内側には、第２のケース２２を上下方向に貫通する第２溝２２２が設けられている。なお、第２のケース２２の上面において、複数の突起２２１が設けられた部位の内側には、プリント基板７０１が配置されている。プリント基板７０１は円板形の基板である。プリント基板７０１には信号処理部７を構成する電子部品が実装されている。信号処理部７の回路はＡ相太陽電池４ａ及びＢ相太陽電池４ｂとそれぞれ電気的に接続されている。プリント基板７０１は、第２溝２２２を覆うようにして、第２のケース２２の上面に配置され、例えばネジを用いて第２のケース２２に固定されている。
【００４８】
第３のケース２３の上面側の開口部２３１の周囲には、第３のケース２３の内側に向けて張り出した張出部２３２が形成されている。開口部２３１は、筐体２の上面において円形状に開口する孔である。第３のケース２３の下面には、第２凹所２３３が形成されている。第２凹所２３３は、第３のケース２３の下面における前後方向の中央部が上方に窪むことで形成されている。第２凹所２３３は、第１溝２１２と共に、筐体２の左右方向の両側に向けて開口するスライド孔を形成する。スライド孔にはスライダ８１が配置される。
【００４９】
遮光板２２５，２２６の各形状は、図６Ｂに示すように、円環状の板材を半分に分割したような形状である。遮光板２２５，２２６は、２つの遮光板２２５，２２６で円環を形成するように第２のケース２２の上面に配置されている。遮光板２２５，２２６には、それぞれ、複数の貫通孔２２５１，２２６１が設けられている。各貫通孔２２５１，２２６１は、同一の形状及び寸法に形成されており、遮光板２２５，２２６の円周方向と直交する方向（径方向）を長手方向とするような長方形状に形成されている。各貫通孔２２５１は遮光板２２５の円周方向において一定の間隔で設けられている。各貫通孔２２５１の２つの長辺がなす角度（内角）はθ１である。隣接する２つの貫通孔２２５１の長辺がなす角度もθ１である。すなわち、各貫通孔２２５１は円周方向において一定の角度（２×θ１）ごとに設けられている。同様に、各貫通孔２２６１の２つの長辺がなす角度（内角）はθ１である。隣接する２つの貫通孔２２６１の長辺がなす角度もθ１である。すなわち、各貫通孔２２６１は円周方向において一定の角度（２×θ１）ごとに設けられている。そして、遮光板２２５，２２６が第２のケース２２に配置された状態で、最も近い位置にある遮光板２２５の貫通孔２２５１と遮光板２２６の貫通孔２２６１とは、円周方向において角度θ１の１．５倍の角度θ２だけ離れている。
【００５０】
Ａ相太陽電池４ａとＢ相太陽電池４ｂとは、それぞれ、円環状の板材を半分に分割したような形状に形成されている。Ａ相太陽電池４ａ及びＢ相太陽電池４ｂは、それぞれ遮光板２２５及び遮光板２２６と同一の形状及び寸法に形成されている。Ａ相太陽電池４ａ及びＢ相太陽電池４ｂは、Ａ相太陽電池４ａとＢ相太陽電池４ｂとで円環を形成するように第２のケース２２の上側に取付けられている。ここで、遮光板２２５の上側にＡ相太陽電池４ａが配置され、遮光板２２６の上側にＢ相太陽電池４ｂが配置されている。
【００５１】
遮光板２３５は円環状に形成されている。遮光板２３５には複数の貫通孔２３６が設けられている。各貫通孔２３６は、円周方向において一定の間隔で設けられている。各貫通孔２３６は、円周方向と直交する方向（径方向）を長手方向とするような長方形状に形成されている。各貫通孔２３６の２つの長辺がなす角度（内角）はθ１である。各貫通孔２３６は円周方向において一定の角度（２×θ１）ごとに設けられている。
【００５２】
筐体２には、それぞれ筐体２に対して移動可能な複数（ここでは２つ）の操作部３０１，３０２が保持されている。２つの操作部３０１，３０２のうち、一方の操作部３０１は回転操作用の操作部であり、他方の操作部３０２は押操作用の操作部である。以下、操作部３０１を「回転操作部３０１」と呼び、操作部３０２を「押操作部３０２」と呼ぶ。すなわち、操作部３は、回転操作部３０１及び押操作部３０２を含む。回転操作部３０１は、回転操作部３０１を通る回転軸Ｚ１を中心に回転可能となるように、筐体２に保持されている。回転軸Ｚ１は、上下方向に沿った直線であって、回転操作部３０１の中心を通る仮想線である。ここでいう「回転操作」は、回転操作部３０１を回転軸Ｚ１周りで回転させる操作である。押操作部３０２は、上下方向に沿って直進移動可能となるように、筐体２に保持されている。ここでいう「押操作」は、押操作部３０２を下方に押し込む操作である。
【００５３】
回転操作部３０１の形状は、回転軸Ｚ１を中心軸とする円柱状である。回転操作部３０１は、例えば、合成樹脂製である。回転操作部３０１の上面には、円形状に開口する上側凹所３２が形成されている。上側凹所３２には、押操作部３０２及び復帰バネ３５が収納される。上側凹所３２の底面の中央部には、円形状に開口する貫通孔３３が形成されている。貫通孔３３は、回転操作部３０１を上下方向に貫通する孔である。回転操作部３０１の外周面の下端部には、回転操作部３０１の全周にわたって回転操作部３０１の径方向に突出するフランジ部３４が形成されている。
【００５４】
回転操作部３０１の下面には、円形状に開口する下側凹所３６が形成されている。ここで、フランジ部３４を除いた回転操作部３０１の外径は、開口部２３１の内径よりもやや小さい。フランジ部３４の外径は、開口部２３１の内径よりも大きい。このような寸法関係により、回転操作部３０１は、開口部２３１を通して筐体２の上面から上方に突出するように筐体２に組み合わされる。この状態で、フランジ部３４は、第２のケース２２の上面と張出部２３２の下面との間に収まる。そのため、フランジ部３４が張出部２３２に引っ掛かることによって、筐体２からの回転操作部３０１の抜け止めがなされる。これにより、張出部２３２の内周面がガイドになって回転操作部３０１が回転軸Ｚ１を中心に回転可能となる。回転操作部３０１の外周面には、滑り止め用に、上下方向に長尺の溝が回転操作部３０１の全周に亘って多数形成されている。
【００５５】
なお、以下の説明において、回転操作部３０１の回転操作時の回転の向きを区別する場合、平面視で反時計回りとなる向きの回転、つまり図６Ａ及び図６Ｃに矢印Ｒ１で示す向きの回転を「正回転」という。一方、平面視で反時計回りとなる向きの回転、つまり図６Ａ及び図６Ｃに矢印Ｒ２で示す向きの回転を「逆回転」という。
【００５６】
回転操作部３０１のフランジ部３４の下側には遮光板２３５が固定される。例えば、遮光板２３５の上向き突起２３７が回転操作部３０１の溝３４１に圧入されることによって、遮光板２３５は回転操作部３０１に固定される。これにより、回転操作部３０１の回転（正回転又は逆回転）に伴って遮光板２３５が回転する。このとき、遮光板２３５は、遮光板２２５，２２６及びＡ相太陽電池４ａ，Ｂ相太陽電池４ｂに対して回転（正回転又は逆回転）することになる。
【００５７】
図６Ｃに示す状態では、遮光板２２５の各貫通孔２２５１と、遮光板２３５の各貫通孔２３６とが上下方向において同じ位置にある。そのため、Ａ相太陽電池４ａに入射する光量は最大になる。一方、遮光板２２６の各貫通孔２２６１と、遮光板２３５の各貫通孔２３６とが上下方向において部分的に重なり、各貫通孔２２６１の半分が遮光板２３５に塞がれている。そのため、Ｂ相太陽電池４ｂに入射する光量は最大時の光量の半分となる。そして、回転操作部３０１が回転すると、遮光板２３５の各貫通孔２３６と、遮光板２２５，２２６の各貫通孔２２５１，２２６１との重なり具合がそれぞれ変化する。そのため、Ａ相太陽電池４ａ及びＢ相太陽電池４ｂに入射する光の光量がそれぞれ変化する。すなわち、遮光板２２５，２２６，２３５から構成される調整部材は、回転操作部３０１の回転に連動して、光発電部４に入射する光の光量を変化させる。
【００５８】
ここで、回転操作部３０１を一定速度で一方向に回転させた場合、Ａ相太陽電池４ａ及びＢ相太陽電池４ｂの各出力（出力電圧又は出力電流）の波形は、一定周期を有する波形である。本実施形態のように各貫通孔が長方形状を有する場合、上記の各出力の波形は三角波である。より詳細には、Ａ相太陽電池４ａの出力の波形は、Ｂ相太陽電池４ｂの出力の波形に対して、位相がπ／４だけずれたような波形になる。そして、Ａ相太陽電池４ａに電気的に接続されるＡ相パルス発生回路７４ａ及びＢ相太陽電池４ｂに電気的に接続されるＢ相パルス発生回路７４ｂ（図７参照）は、それぞれパルス信号Ｐ１，Ｐ２を出力する。パルス信号Ｐ１，Ｐ２は、互いに、周期が同じで位相がπ／４だけずれたパルス信号である。また、回転操作部３０１の操作方向によって、パルス信号Ｐ１に対してパルス信号Ｐ２が進み位相になるか遅れ位相になるかが切り替わる。すなわち、遮光板２２５，２２６，２３５から構成される調整部材は、回転操作部３０１が一方向に回転する場合と、回転操作部３０１が逆方向に回転する場合とで、光発電部４に入射する光の光量に異なる変化を与えるように形成されている。言い換えると、調整部材は、回転操作部３０１の回転時に、Ａ相太陽電池４ａに入射する光の光量とＢ相太陽電池４ｂに入射する光の光量とに、互いに異なる位相を与える。
【００５９】
また、入力装置１は、回転操作部３０１の回転操作時に回転操作部３０１を操作する使用者にクリック感（操作感）を与えるクリック機構を備えている。クリック機構は、回転操作部３０１に取り付けられたクリックバネ３１と、第２のケース２２の上面に設けられた複数の突起２２１とで構成される。
【００６０】
クリックバネ３１は平面視において円環状の板バネからなる。クリックバネ３１の左右方向の両端部には、下方に向けて凸となる突起部３１１が形成されている。クリックバネ３１は、突起部３１１を下向きにして回転操作部３０１に取り付けられている。ここにおいて、下側凹所３６の底面には、下方に突出する円筒状の筒部３７が設けられている。筒部３７の下面には、クリックバネ３１の２箇所の孔３１２にそれぞれ挿入される突起が設けられている。筒部３７の突起をクリックバネ３１の孔３１２に通した状態で、突起を熱で溶かすことによって、クリックバネ３１が筒部３７の下面に取り付けられる。
【００６１】
第２のケース２２の上面には複数の突起２２１が円周方向に沿って並ぶように設けられている。複数の突起２２１は、回転操作部３０１に取り付けられたクリックバネ３１の円環部分と対向する部位に設けられている。各突起２２１は、円周方向において一定の間隔で配置されている。したがって、第２のケース２２の上面において、クリックバネ３１の円環部分と対向する部位には、クリックバネ３１の円環部分の周方向に沿って凸部（突起２２１）と凹部とが複数交互に形成されている。凸部及び凹部は、クリックバネ３１の全周にわたって設けられている。複数の突起２２１はクリックバネ３１の下面に対向している。突起２２１にクリックバネ３１の突起部３１１が接触する。
【００６２】
そのため、回転操作部３０１が所定の回転角だけ回転する度に、クリックバネ３１が弾性変形しながら突起部３１１が突起２２１の上面を乗り越える。これにより、回転操作部３０１の使用者には、クリック感（操作感）が与えられる。
【００６３】
押操作部３０２の形状は、回転軸Ｚ１を中心軸とする円盤状である。押操作部３０２は、例えば、合成樹脂製である。押操作部３０２の下面には、下方に突出する突片３９が形成されている。押操作部３０２は、突片３９が貫通孔３３に挿入されるように回転操作部３０１と組み合わされる。突片３９は、貫通孔３３の下側端から下方に突出する。なお、押操作部３０２の下面には、突片３９を間にした両側位置において下方に突出する引掛フックが設けられている。この引掛フックが回転操作部３０１に引っ掛かることによって、回転操作部３０１からの押操作部３０２の抜け止めがなされる。突片３９の下端は、第２のケース２２の上面に配置されたプリント基板７０１に対向している。プリント基板７０１には、突片３９の下端と対向する位置に、メンブレンスイッチのようなスイッチ７０２が実装されている。押操作部３０２を使用者が押すと、突片３９が下側に移動し、突片３９の下端によってスイッチ７０２が押操作される。
【００６４】
また、入力装置１は、押操作部３０２の押操作時に押操作部３０２を操作前の位置（基準位置）に復帰させるための復帰バネ３５を備えている。復帰バネ３５は、コイルバネからなる。復帰バネ３５は、押操作部３０２の押操作時に圧縮されて、押操作部３０２を押す向きの力を押操作部３０２に作用させる。
【００６５】
取付部８は吸盤である。取付部８は、取付部８の吸着面を筐体２の下面から露出させるように、筐体２に保持されている。取付部８は透明な材料で形成された吸盤である。取付部８を透過した光も光発電部４に入射される。入力装置１の下面が取付面１０１に対して押し付けられると、吸盤である取付部８が取付面１０１に吸着する。このようにして、入力装置１は表示装置１００に着脱可能に取り付けられる。
【００６６】
さらに、入力装置１は、取付部８を保持する保持機構として、スライダ８１、保持カム８２、保持棒８３、及び押さえバネ８４を備えている。スライダ８１、保持カム８２、保持棒８３、及び押さえバネ８４は、第１のケース２１と第２のケース２２との間に配置される。
【００６７】
取付部８の上部の中心には、上方に向けて突出する突出部８０１が設けられている。突出部８０１には、突出部８０１を前後方向に貫通する保持孔８０２が形成されている。保持孔８０２には、保持棒８３が挿し通される。保持棒８３の前後方向の両端部は保持カム８２に保持される。保持カム８２は、前後方向に長尺なカム本体８２３と、カム本体８２３から下向きに突出する一対の軸受部８２１とを有している。一対の軸受部８２１は保持棒８３を保持している。また、保持カム８２には、前後方向において一対の軸受部８２１の両側に、それぞれカム片８２２が設けられている。カム片８２２の下面は、下側に向かって凸となる曲面である。
【００６８】
スライダ８１の形状は、平面視において左右方向に長尺な長方形の枠状である。スライダ８１の中央部には、スライダ８１を厚み方向に貫通する角孔８１１が形成されている。スライダ８１の上面のうち、角孔８１１の前後方向の両側には、それぞれ下方に窪む第１窪み部８１２及び第２窪み部８１３の組み合わせが設けられている。つまり、角孔８１１の前方には第１窪み部８１２及び第２窪み部８１３の組み合わせが設けられ、角孔８１１の後方にも第１窪み部８１２及び第２窪み部８１３の組み合わせが設けられている。第２窪み部８１３は、第１窪み部８１２よりも窪み量が大きく（深く）、第１窪み部８１２の右方に、第１窪み部８１２に連続して設けられている。そのため、スライダ８１の上面のうち角孔８１１の前後方向の両側部分の形状は、それぞれ第１窪み部８１２及び第２窪み部８１３によって階段状となる。
【００６９】
保持カム８２は、スライダ８１に対して上方から組み合わされている。ここで、一対の軸受部８２１は角孔８１１に上方から挿入される。また、一対のカム片８２２はスライダ８１の前後方向の両側に位置する。つまり、スライダ８１の前後方向の両側部分の上に、保持カム８２の前後方向における両側のカム片８２２が配置されている。さらに、押さえバネ８４は、保持カム８２を下方に押す力を保持カム８２に作用させる。そのため、保持カム８２は、スライダ８１の上面に押し付けられる。
【００７０】
そして、スライダ８１は、上下方向及び前後方向への筐体２に対する相対的な移動が規制された状態で、筐体２に保持される。言い換えれば、スライダ８１は、筐体２に対して左右方向にのみ移動可能となる。一方、保持カム８２は、第２のケース２２の第２溝２２２に下側から挿入されている。保持カム８２は、左右方向及び前後方向への筐体２に対する相対的な移動が規制された状態で、筐体２に保持される。言い換えれば、保持カム８２は、筐体２に対して上下方向にのみ移動可能となる。
【００７１】
これにより、スライダ８１が筐体２に対して左右方向に移動することで、保持カム８２は筐体２に対して相対的に上下方向に移動する。つまり、スライダ８１の上面は、第１窪み部８１２及び第２窪み部８１３によって階段状に構成されているため、スライダ８１の左右方向の移動に伴って保持カム８２の上下方向の位置（以下、「高さ」ともいう）が段階的に変化する。カム本体８２３が第１窪み部８１２の左方に位置する状態での保持カム８２の高さが最も高い。そして、カム本体８２３が第１窪み部８１２内に位置する状態、カム本体８２３が第２窪み部８１３内に位置する状態の順に、保持カム８２の高さは低くなる。よって、スライダ８１が筐体２に対して左方に移動すると、保持カム８２の高さは段階的に低くなる。スライダ８１が筐体２に対して右方に移動すると、保持カム８２の高さは段階的に高くなる。そして、保持カム８２の高さが変化すれば、保持棒８３を介して保持カム８２に保持されている突出部８０１が上下方向に移動する。
【００７２】
上述した構成の保持機構によれば、取付部８による入力装置１の表示装置１００への保持力が、スライダ８１の移動に応じて変化する。ここでいう「保持力」とは、入力装置１が表示装置１００へ取り付けられた状態で、取付部８が入力装置１を表示装置１００に保持している力を意味する。保持力が大きい程、入力装置１が表示装置１００から外れにくくなる。取付部８が吸盤である場合、取付面１０１に対する取付部８の吸着力が「保持力」に相当する。
【００７３】
要するに、図５Ａに示すように、スライダ８１が可動範囲の左端位置に位置する状態では、カム片８２２が第２窪み部８１３内に位置するため、保持カム８２は可動範囲の下端位置に位置する。このとき、取付部８の突出部８０１（図１参照）が可動範囲の下端位置に位置する。図５Ａに示す入力装置１の状態を「位置決め状態」と呼ぶ。入力装置１は、まずは位置決め状態で、表示装置１００の取付面１０１に取り付けられる。
【００７４】
図５Ｂに示すように、スライダ８１が可動範囲の中間位置に位置する状態では、カム片８２２が第１窪み部８１２内に位置するため、保持カム８２は可動範囲の中間位置に位置する。このとき、取付部８の突出部８０１が可動範囲の中間位置に位置する。図５Ｂに示す入力装置１の状態を「仮固定状態」と呼ぶ。入力装置１の状態は、表示装置１００の取付面１０１に取り付けられたまま、位置決め状態から仮固定状態へと切り替えられる。これにより、取付部８の突出部８０１が上方に持ち上げられるため、取付部８の下面と取付面１０１との間の空間が広がる。そのため、この空間の真空度が高くなる（圧力が低くなる）。
【００７５】
図５Ｃに示すように、スライダ８１が可動範囲の右端位置に位置する状態では、カム片８２２が第１窪み部８１２の左方に位置するため、保持カム８２は可動範囲の上端位置に位置する。このとき、取付部８の突出部８０１が可動範囲の上端位置に位置する。図５Ｃに示す入力装置１の状態を「本固定状態」と呼ぶ。入力装置１の状態は、表示装置１００の取付面１０１に取り付けられたまま、仮固定状態から本固定状態へと切り替えられる。これにより、取付部８の突出部８０１がさらに上方に持ち上げられるため、取付部８の下面と取付面１０１との間の空間がさらに広がる。そのため、この空間の真空度がさらに高くなる（圧力がさらに低くなる）。
【００７６】
使用者が表示装置１００へ入力装置１を取り付ける際には、使用者は、まず位置決め状態（カム片８２２が第２窪み部８１３内に位置する状態）の入力装置１を表示装置１００の取付面１０１に取り付ける。その後、使用者は、スライダ８１を右方に移動させることで、入力装置１の状態を仮固定状態、本固定状態の順に切り替える。その結果、取付部８の下面と取付面１０１との間の空間の真空度が段階的に高くなり、入力装置１が表示装置１００に強固に取り付けられる。使用者が表示装置１００から入力装置１を取り外す際には、使用者は、スライダ８１を左方に移動させることで、入力装置１の状態を本固定状態、仮固定状態、位置決め状態の順に切り替える。その結果、取付部８の下面と取付面１０１との間の空間の真空度が段階的に低くなり、入力装置１が表示装置１００から容易に取り外し可能となる。
【００７７】
また、図２に示すように、信号処理部７は、プリント基板７０１と、スイッチ７０２及びＩＣ（Integrated Circuit）７０３を含む電子部品とを有している。信号処理部７は、スイッチ７０２及びＩＣ７０３の他、例えば、コンデンサなどの電子部品を有している。これらの電子部品はプリント基板７０１に実装されている。
【００７８】
信号処理部７は、図７に示すように、電源回路７１、検知回路７２、及び通信インタフェース７３を有している。以下、「インタフェース」を「Ｉ／Ｆ」と表記する。さらに、信号処理部７は、Ａ相パルス発生回路７４ａとＢ相パルス発生回路７４ｂとを有している。電源回路７１、検知回路７２、通信Ｉ／Ｆ７３、Ａ相パルス発生回路７４ａ及びＢ相パルス発生回路７４ｂの各機能は、プリント基板７０１に実装されている電子部品により実現される。Ａ相パルス発生回路７４ａはＡ相太陽電池４ａに電気的に接続され、Ｂ相パルス発生回路７４ｂはＢ相太陽電池４ｂに電気的に接続されている。
【００７９】
電源回路７１は、コンデンサを含み、Ａ相太陽電池４ａとＢ相太陽電池４ｂとが発生する電荷をコンデンサに貯めるように構成されている。電源回路７１は、信号処理部７の動作用の電源を生成する。
【００８０】
Ａ相パルス発生回路７４ａは、回転操作部３０１の回転に伴って発生するＡ相太陽電池４ａの出力（出力電圧又は出力電流）の変化を検出してパルス信号Ｐ１を出力する。
【００８１】
Ｂ相パルス発生回路７４ｂは、回転操作部３０１の回転に伴って発生するＢ相太陽電池４ｂの出力（出力電圧又は出力電流）の変化を検出してパルス信号Ｐ２を出力する。
【００８２】
検知回路７２は、Ａ相パルス発生回路７４ａ及びＢ相パルス発生回路７４ｂからそれぞれ入力されるパルス信号Ｐ１，Ｐ２に基づいて、回転操作部３０１の操作に応じた検知情報を生成する。ここにおいて、検知回路７２は、パルス信号Ｐ１，Ｐ２のパルス数から回転操作部３０１の回転量（回転角度）を検出する。また、検知回路７２は、パルス信号Ｐ１に対してパルス信号Ｐ２が進み位相であるか遅れ位相であるかを検知することで、回転操作部３０１の回転方向を検出する。したがって、検知回路７２は、パルス信号Ｐ１，Ｐ２から回転操作部３０１の回転量及び回転方向を検出することができ、回転操作部３０１の回転量と回転方向とを示す検知情報を生成する。
【００８３】
また、検知回路７２は、スイッチ７０２から入力される信号に基いて、押操作部３０２の操作に応じた検知情報を生成する。
【００８４】
通信Ｉ／Ｆ７３は、検知回路７２で生成された検知情報を、電波を媒体とする無線通信により表示装置１００に送信する。具体的には、検知回路７２から検知情報を受けた通信Ｉ／Ｆ７３は、検知情報を用いて搬送波を変調し、搬送波により検知情報を送信する。通信Ｉ／Ｆ７３の通信方式は、例えばＷｉＦｉ（登録商標）、又はＢｌｕｅｔｏｏｔｈ（登録商標）、特定小電力無線などである。特定小電力無線は、免許及び登録を必要としない小電力無線である。特定小電力無線は、例えば日本国においては、４２０ＭＨｚ帯や９２０ＭＨｚ帯の電波を使用する小電力無線である。
【００８５】
表示装置１００には、タッチパネルディスプレイ１０２（表示部）の他、制御回路１０３と、通信Ｉ／Ｆ１０４（通信部）とが設けられている。タッチパネルディスプレイ１０２の表示面（取付面１０１）には入力装置１の取付部８が取り付けられる。通信Ｉ／Ｆ１０４は、通信Ｉ／Ｆ７３と無線通信を行う。これにより、表示装置１００は、入力装置１から無線通信により送信された検知情報を受信する。制御回路１０３は、タッチパネルディスプレイ１０２が表示する表示内容を制御する。例えば、制御回路１０３は、通信Ｉ／Ｆ１０４が受信した検知情報にしたがって、タッチパネルディスプレイ１０２が表示する表示内容を制御して、表示内容をタッチパネルディスプレイ１０２に表示させる。
【００８６】
（２．２）動作
以下、本実施形態に係る入力装置１の動作について説明する。
【００８７】
まず、使用者が入力装置１を表示装置１００の取付面１０１に取り付けてから、表示装置１００が入力装置１の取付位置を探索するまでの位置探索動作について、図８のフローチャートに基いて説明する。
【００８８】
使用者が入力装置１を表示装置１００の取付面１０１に取り付ける（ＳＡ１）。また、使用者が、表示装置１００のタッチパネルディスプレイ１０２を操作して、入力装置１を用いた操作を可能にする操作を行う。すると、制御回路１０３が、タッチパネルディスプレイ１０２を制御し、表示面（取付面１０１）の全体を発光させる（ＳＢ１）。このとき、入力装置１のＡ相太陽電池４ａ及びＢ相太陽電池４ｂに、表示面から放射された光が、第１のケース２１と第２のケース２２とを介して入射する。そして、Ａ相太陽電池４ａ及びＢ相太陽電池４ｂが発電を開始する（ＳＡ２）。Ａ相太陽電池４ａ及びＢ相太陽電池４ｂが発電を開始すると、電源回路７１が、Ａ相太陽電池４ａ及びＢ相太陽電池４ｂが発生した起電力でコンデンサを充電する。コンデンサの充電電圧が閾値以下であれば（ＳＡ３のＮｏ）、電源回路７１がコンデンサの充電を継続する（ＳＡ４）。コンデンサの充電電圧が閾値よりも大きくなると（ＳＡ３のＹｅｓ）、信号処理部７は、入力装置１が取付状態にあることを示す起動情報を通信Ｉ／Ｆ７３から表示装置１００へ無線通信により送信する（ＳＡ５）。なお、信号処理部７は、コンデンサの充電電圧が閾値よりも大きくなった状態で、押操作部３０２（通知操作部）の操作に応じてスイッチ７０２から信号が入力された場合に、起動情報を通信Ｉ／Ｆ７３から表示装置１００へ無線通信により送信してもよい。また、信号処理部７は、コンデンサの充電電圧が閾値よりも大きくなった状態で、使用者がタッチパネルディスプレイ１０２にタッチ操作を行った場合に、起動情報を通信Ｉ／Ｆ７３から表示装置１００へ無線通信により送信してもよい。
【００８９】
表示装置１００の制御回路１０３は、起動情報の受信待ちをしている（ＳＢ２）。通信Ｉ／Ｆ１０４が入力装置１から無線通信で送信された起動情報を受信すると（ＳＢ２のＹｅｓ）、制御回路１０３はタッチパネルディスプレイ１０２に特定領域を表示させる（ＳＢ３）。
【００９０】
特定領域とは、入力装置１の取付位置を検知するために、表示面に表示される表示内容である。特定領域の位置は、時間の経過とともに移動する。特定領域から出射される光エネルギーは、表示面における特定領域以外の領域から出射される光エネルギーと異なる。特定領域から出射される光エネルギーは、例えば、表示面における特定領域以外の領域から出射される光エネルギーよりも小さい。ここで、光エネルギーとは、例えば単位面積当たりの光量である。
【００９１】
図９Ａ及び図９Ｂは、タッチパネルディスプレイ１０２の表示面（取付面１０１）に表示される特定領域の一例の説明図である。図９Ａに示される特定領域Ｖ１は、表示面における第１方向（矢印Ｄ１の方向）に沿って移動している。また、図９Ｂに示される特定領域Ｖ２は、表示面において第１方向と交わる第２方向（矢印Ｄ２の方向）に沿って移動している。本実施形態において、第１方向と第２方向とは互いに直交している。
【００９２】
図９Ａに示される特定領域Ｖ１は、前後方向（第１の方向）において入力装置１の取付位置を探索するために用いられる。特定領域Ｖ１は、左右方向に沿って表示面の両端部まで延びる帯状の領域である。制御回路１０３は、特定領域Ｖ１の位置が表示面の後端から前端まで時間の経過とともに前方（矢印Ｄ１の方向）に向かって移動するように、タッチパネルディスプレイ１０２が表示する表示内容を制御する。
【００９３】
また、図９Ｂに示される特定領域Ｖ２は、左右方向（第２の方向）において入力装置１の取付位置を探索するために用いられる。特定領域Ｖ２は、前後方向に沿って表示面の両端部まで延びる帯状の領域である。制御回路１０３は、特定領域Ｖ２の位置が表示面の左端から右端まで時間の経過とともに右方（矢印Ｄ２の方向）に向かって移動するように、タッチパネルディスプレイ１０２が表示する表示内容を制御する。
【００９４】
なお、特定領域は帯状の領域に限定されない。例えば、特定領域は、入力装置１の大きさよりも小さいスポット状の領域でもよい。制御回路１０３は、スポット状の特定領域を表示面の左上から右下まで移動させることで入力装置１の位置を探索してもよい。特定領域の形状や特定領域を移動させる経路は、入力装置１の形状や表示面の形状に合わせて適宜変更が可能である。
【００９５】
制御回路１０３は、前後方向における入力装置１の取付位置を探索するため、図９Ａに示す特定領域Ｖ１をタッチパネルディスプレイ１０２に表示させる。
【００９６】
入力装置１の信号処理部７は、表示装置１００に起動情報を無線通信で送信した後、光発電部４の出力値（Ａ相太陽電池４ａ及びＢ相太陽電池４ｂの両方の出力値）を監視する（ＳＡ６）。
【００９７】
タッチパネルディスプレイ１０２の表示面において、特定領域Ｖ１が時間の経過とともに前方に移動し、特定領域Ｖ１が入力装置１の取付位置と上下方向において重なると、光発電部４の出力値が低下する。信号処理部７は、光発電部４の出力値の低下幅が所定の規定値を超えると、特定領域Ｖ１と取付位置とが重なったことを示す通知情報を、通信Ｉ／Ｆ７３から表示装置１００に無線通信で送信する（ＳＡ７）。つまり、信号処理部７は、光発電部４が発生した電力に所定の変化が発生したときに、通知情報を無線通信により送信する。
【００９８】
制御回路１０３は、特定領域Ｖ１をタッチパネルディスプレイ１０２に表示させている状態では入力装置１からの通知情報の受信待ちを行っている（ＳＢ４）。そして、通信Ｉ／Ｆ１０４が通知情報を受信する（ＳＢ４のＹｅｓ）と、制御回路１０３は、このときの特定領域Ｖ１の位置を、前後方向における入力装置１の取付位置と判断する。そして、制御回路１０３は、取付位置が確定したか否かを判断する（ＳＢ５）。ここでは、前後方向における取付位置しか確定していないので（ＳＢ５のＮｏ）、制御回路１０３は、左右方向における入力装置１の取付位置を探索する。すなわち、制御回路１０３は、図９Ｂに示す特定領域Ｖ２をタッチパネルディスプレイ１０２に表示させる。
【００９９】
入力装置１の信号処理部７は、表示装置１００に通知情報を無線通信で送信した後、取付位置が確定したか否かを判断する（ＳＡ８）。信号処理部７は、通知情報の送信回数が１回であれば、取付位置が確定していないと判断し（ＳＡ８のＮｏ）、再び光発電部４の出力値を監視する（ＳＡ６）。
【０１００】
タッチパネルディスプレイ１０２の表示面において、特定領域Ｖ２が時間の経過とともに右方向に移動し、特定領域Ｖ２が入力装置１の取付位置と上下方向において重なると、光発電部４の出力値が低下する。信号処理部７は、光発電部４の出力値の低下幅が所定の規定値を超えると、特定領域Ｖ２と取付位置とが重なったことを示す通知情報を、通信Ｉ／Ｆ７３から表示装置１００に無線通信で送信する（ＳＡ７）。つまり、信号処理部７は、光発電部４が発生した電力に所定の変化が発生したときに通知情報を無線通信により送信する。
【０１０１】
信号処理部７は、通信Ｉ／Ｆ７３から表示装置１００に通知情報を無線通信で送信すると、取付位置が確定したか否かを判断する（ＳＡ８）。このとき、通知情報の送信回数が２回になるので、信号処理部７は、取付位置が確定したと判断する（ＳＡ８のＹｅｓ）。そして、信号処理部７は、回転操作部３０１及び押操作部３０２を用いた操作入力の入力待ちを行う（ＳＡ９）。
【０１０２】
制御回路１０３は、特定領域Ｖ２をタッチパネルディスプレイ１０２に表示させている状態では入力装置１からの通知情報の受信待ちを行っている（ＳＢ４）。そして、通信Ｉ／Ｆ１０４が通知情報を受信する（ＳＢ４のＹｅｓ）と、制御回路１０３は、このときの特定領域Ｖ２の位置を、左右方向における入力装置１の取付位置と判断する。そして、制御回路１０３は、取付位置が確定したか否かを判断する（ＳＢ５）。ここでは、前後方向における取付位置と、左右方向における取付位置とが両方ともに確定したので（ＳＢ５のＹｅｓ）、制御回路１０３は、入力装置１を用いた入力操作のための入力用表示内容をタッチパネルディスプレイ１０２に表示させる（ＳＢ６）。
【０１０３】
図９Ｃは、入力用表示内容の一例を示す図である。制御回路１０３は、入力装置１の取付位置に対応する領域Ａ１の光エネルギーを他の領域の光エネルギーよりも大きくして、光発電部４の発電電力を増加させる。また、制御回路１０３は、入力装置１の取付位置に基づいて、入力装置１の取付位置以外の領域に、入力操作に関連した入力用表示内容である表示内容Ｍ１をタッチパネルディスプレイ１０２に表示させる。図９Ｃに示される表示内容Ｍ１は、入力装置１を用いて入力した操作情報に基づいて表示装置１００が操作対象の装置を制御するための入力用表示内容を示している。図９Ｃの例では、入力操作に関連した表示内容Ｍ１は、入力操作のための操作ガイドを行う案内である。より詳細には、表示内容Ｍ１は、回転操作部３０１の操作方向と、操作量の大小との関係とを示す表示内容である。なお、表示内容Ｍ１は、操作ガイドを行う案内に限定されず、表示を促すような内容や、操作対象の装置の状態を示す内容でもよい。また、制御回路１０３は、入力装置１の取付位置の周りに表示する表示内容Ｍ１の位置を、入力装置１の取付位置の検知結果に応じて制御する。
【０１０４】
次に、使用者が入力装置１を用いて入力する場合の入力受付処理を図１０のフローチャートに基いて説明する。
【０１０５】
表示装置１００の制御回路１０３は、入力用表示内容を制御して、入力用表示内容をタッチパネルディスプレイ１０２に表示させる（ＳＢ２１）。
【０１０６】
入力装置１では、光発電部４が発電を行い、電源回路７１がコンデンサを充電している。コンデンサの充電電圧が閾値以下であれば（ＳＡ１１のＮｏ）、電源回路７１がコンデンサの充電を継続する（ＳＡ１２）。コンデンサの充電電圧が閾値よりも大きくなると（ＳＡ１１のＹｅｓ）、信号処理部７は、操作部３による操作入力の監視を開始する（ＳＡ１３）。そして、信号処理部７は、操作部３からの操作入力を検知すると（Ｓ１３のＹｅｓ）、操作入力に応じた検知情報を通信Ｉ／Ｆ７３から表示装置１００に無線通信により送信する（ＳＡ１４）。そして、信号処理部７はＳＡ１１に戻って処理を継続する。
【０１０７】
一方、表示装置１００の制御回路１０３は、タッチパネルディスプレイ１０２に入力用表示内容を表示させた後、入力装置１から無線通信により送信される検知情報の受信待ちを行う受信待機状態となる（ＳＢ２２）。そして、通信Ｉ／Ｆ１０４が検知情報を受信すると（ＳＢ２２のＹｅｓ）、制御回路１０３は検知情報に応じて操作対象の装置を制御する。そして、制御回路１０３は、検知情報に応じてタッチパネルディスプレイ１０２に表示させる入力用表示内容を更新する（ＳＢ２３）。その後、制御回路１０３は、ＳＢ２２に戻って検知情報の受信待ちを行う。
【０１０８】
なお、制御回路１０３は、受信待機状態では、表示面における入力装置１の取付位置を発光させるように、表示内容を制御する。詳細には、制御回路１０３は、受信待機状態では、表示面において入力装置１の取付位置から出射される光エネルギーが所定の光エネルギーとなるように、表示内容を制御してもよい。ここにおいて、所定の光エネルギーとは、信号処理部７を動作させるのに必要な電力を光発電部４が発電するのに必要な光エネルギーよりも大きい光エネルギーであればよい。
【０１０９】
（３）効果
以上説明した本実施形態の入力装置１によれば、光発電部４が、筐体２において取付部８が配置された側から入射する光で発電することができる。そして、光発電部４が発生した電力を受けて信号処理部７が動作する。信号処理部７は、操作部３の移動に応じて生成される検知情報を無線通信により送信する。したがって、入力装置１は、タッチパネルを使用しなくても操作部３の操作を検知することができる。また、取付部８が取り付けられていない状態では、光発電部４の発電量が低下する。そのため、入力装置１は、入力装置１の非取付時に誤って検知情報が送信されることを抑制できる。
【０１１０】
また、本実施形態のように、取付部８が吸盤であれば、入力装置１の取付位置を容易に変更できる。取付部８が吸盤である場合は表示装置１００に対する筐体２の取付状態にばらつきが生じやすい。しかし、入力装置１は、操作部３の移動を検知して、操作部３の移動に応じた検知情報を無線通信により送信する。そのため、入力装置１は、表示装置１００に対する筐体２の取付状態にばらつきが生じたとしても、操作部３の操作を安定して検知できる。
【０１１１】
また、本実施形態の入力装置１では、筐体２が、筐体２において取付部８が配置された側から入射する光を透過する透過部（第１のケース２１、第２のケース２２、取付部８など）を有している。したがって、光発電部４は透過部を透過した光で発電できるから、光発電部４の発電量が大きくなる。
【０１１２】
また、本実施形態の入力装置１では、信号処理部７は、光発電部４が発生した電力に所定の変化が発生したときに、通知情報を無線通信により送信する。表示装置１００が表示面に特定領域を表示している状態で、光発電部４が発生した電力に所定の変化が発生すると、入力装置１から表示装置１００に通知情報が無線通信で送信される。したがって、表示装置１００は、入力装置１から送信された通知情報をもとに、表示面における入力装置１の取付位置を推定できる。
【０１１３】
また、本実施形態の入力装置１は調整部材を備えている。調整部材は、回転操作部３０１の移動に連動して、光発電部４に入射する光の光量を変化させる。そして、信号処理部７は、光発電部４が発生した電力の変化をもとに回転操作部３０１の移動を検知し、回転操作部３０１の移動の検知結果に応じて生成される検知情報を無線通信により送信する。
【０１１４】
これにより、信号処理部７は、光発電部４が発生した電力の変化をもとに回転操作部３０１の移動を検知し、回転操作部３０１の移動の検知結果に応じて生成される検知情報を無線通信により送信することができる。
【０１１５】
また、本実施形態の入力装置１では、回転操作部３０１は、筐体２に対して両方向に回転可能に配置されている。調整部材は、回転操作部３０１が一方向に回転する場合と、回転操作部３０１が逆方向に回転する場合とで、光発電部４に入射する光の光量に互いに異なる変化を与えるように形成されている。
【０１１６】
これにより、信号処理部７は、光発電部４が発生した電力の変化をもとに回転操作部３０１の両方向の回転移動を検知できる。そのため、信号処理部７は、回転操作部３０１の両方向の回転移動の検知結果に応じて生成される検知情報を無線通信により送信することができる。
【０１１７】
また、本実施形態の入力装置１では、回転操作部３０１は、筐体２に対して両方向に回転可能に配置されている。光発電部４は、Ａ相太陽電池４ａとＢ相太陽電池４ｂとを有している。調整部材は、回転操作部３０１の回転時に、Ａ相太陽電池４ａに入射する光の光量とＢ相太陽電池４ｂに入射する光の光量とに、互いに異なる位相を与える。
【０１１８】
これにより、信号処理部７は、Ａ相太陽電池４ａの出力とＢ相太陽電池４ｂの出力との位相差をもとに回転操作部３０１の両方向の回転移動を検知できる。そのため、信号処理部７は、回転操作部３０１の両方向の回転移動の検知結果に応じて生成される検知情報を無線通信により送信することができる。
【０１１９】
また、本実施形態のように、筐体２は、筐体２が取付部８を介して被取付部（取付面１０１）に取り付けられた状態で、被取付部に接触する接触部（周壁２１５）を備えてもよい。これにより、取付面１０１に対する筐体２の取付状態が安定し、光発電部４と取付面１０１（表示面）との距離が一定に保たれる。そのため、光発電部４の発電量が安定する。
【０１２０】
また、本実施形態の入力システム１０によれば、光発電部４が、筐体２において取付部８が配置された側から入射する表示装置１００の光で発電することができる。そして、光発電部４が発生した電力を受けて信号処理部７が動作する。信号処理部７は、操作部３の移動に応じて生成される検知情報を無線通信により送信する。したがって、入力システム１０は、タッチパネルを使用しなくても操作部３の操作を検知することができる。
【０１２１】
また、本実施形態の入力システム１０では、表示装置１００の制御回路１０３は、受信待機状態では、表示面における入力装置１の取付位置を発光させるように、表示内容を制御している。これにより、光発電部４が、信号処理部７の動作に必要な電力を発生できる。
【０１２２】
また、入力装置１の操作部３は、入力装置１が表示面に取り付けられた取付状態であることを通知するために操作される通知操作部（押操作部３０２）を含む。信号処理部７は、通知操作部が操作された場合に起動情報を無線通信により送信する。これにより、起動情報を受信した表示装置１００は、入力装置１が表示面に取り付けられたことを把握できる。そして、表示装置１００は、入力装置１が表示面に取り付けられたことを把握すると、表示面における入力装置１の取付位置を推定する処理を開始することができる。なお、押操作部３０２は、起動情報を送信するためだけに使用されるのではなく、入力受付処理においては、他の用途に使用されてもよい。
【０１２３】
また、本実施形態の入力装置１では、信号処理部７は、光発電部４が発生した電力に所定の変化が発生したときに、通知情報を無線通信により送信する。そして、表示装置１００の制御回路１０３は、表示面に特定領域が表示された状態で通知情報を受信すると、通知情報を受信したときの特定領域の位置から、表示面における入力装置１の取付位置を推定する。
【０１２４】
このように、入力装置１は、光発電部４を用いて特定領域を検知できる。そのため、表示装置１００は、入力装置１から受信した通知情報をもとに入力装置１の取付位置を推定できる。
【０１２５】
また、本実施形態の入力システム１０では、特定領域が、帯形状を有し、表示面における第１方向および表示面において第１方向と交わる第２方向のそれぞれに沿って移動する。
【０１２６】
これにより、表示装置１００は、より正確に入力装置１の取付位置を推定することができる。
【０１２７】
また、本実施形態の入力システム１０では、特定領域から出射される光エネルギーが、表示面における特定領域以外の領域から出射される光エネルギーよりも小さい。したがって、特定領域以外の領域から出射される光エネルギーは、特定領域から出射される光エネルギーよりも大きい。そのため、位置探索動作において光発電部４の発電量が大きくなる。
【０１２８】
また、本実施形態の入力システム１０では、表示装置１００の制御回路１０３は、表示面における入力装置１の取付位置を推定した結果に応じて、表示面において入力装置１の取付位置から出射される光エネルギーが所定の光エネルギーとなるように、表示内容を制御する。これにより、光発電部４の発電量が大きくなる。
【０１２９】
また、本実施形態の入力システム１０では、表示装置１００の制御回路１０３は、表示面における入力装置１の取付位置を推定した結果に応じて、入力装置１の取付位置の周りに表示する表示内容の位置を制御する。これにより、表示面に表示される表示内容が入力装置１によって遮られにくくなる。
【０１３０】
（４）変形例
以下、実施形態１の変形例を列挙する。
【０１３１】
信号処理部７が行う無線通信は、電波を媒体とする無線通信に限らず、例えば、赤外線や可視光などの光を媒体とする光無線通信であってもよい。この場合、信号処理部７は、光無線通信によって、表示装置１００に検知情報を送信する。
【０１３２】
筐体２が、第１のケース２１、第２のケース２２、及び第３のケースを有することは必須ではない。例えば、１つのケース、２つのケース、又は４つ以上のケースで筐体２が構成されていてもよい。さらに、第１のケース２１と第２のケース２２との結合構造は、ねじ止めによる結合構造に限らず、例えば、弾性を有する爪にて結合されるスナップフィット構造や、レーザ溶着による結合構造などであってもよい。
【０１３３】
また、筐体２の一部又は全体は金属製であってもよい。同様に、回転操作部３０１の一部又は全体が金属製であってもよいし、押操作部３０２の一部又は全体が金属製であってもよい。
【０１３４】
各操作部は、回転操作用の回転操作部３０１、及び押操作用の押操作部３０２に限らず、例えば、スライド操作用のスライド操作部などでもよい。また、各操作部は、トグルスイッチのハンドルのように、支点を中心に傾けることによって操作されるレバー構造の操作部などでもよい。
【０１３５】
また、入力装置１の構成は、実施形態１のように、２つの操作部（回転操作部３０１及び押操作部３０２）を備える構成に限らず、３つ以上の操作部を備える構成でもよい。入力装置１が複数の操作部を備える場合、複数の操作部は互いに同一構造（例えばいずれも回転操作用）であってもよい。又は、入力装置１は、操作部を１つだけ備えていてもよい。
【０１３６】
また、入力装置１が備える取付部８は吸盤に限定されない。取付部８は、例えば磁力で取付面１０１に筐体２を取り付ける磁石でもよいし、筐体２を取付可能な粘着力を有する粘着材でもよい。すなわち、取付部８は、入力装置１を取付面１０１に着脱可能な状態で取り付けるための部材であればよい。
【０１３７】
電源回路７１は、二次電池と、光発電部４が発電した電力で二次電池を充電する充電回路とを備えてもよい。この構成により、二次電池の電圧が低下した場合に、電源回路７１の充電回路が二次電池を充電し、二次電池に充電された電力で信号処理部７が動作することができる。これにより、電源回路７１がコンデンサを探索動作毎に充電しなくても、信号処理部７が動作できる。
【０１３８】
また、「（２．２）動作」で説明した探索動作において、制御回路１０３は、入力装置１の取付位置を確定した際に（ＳＢ５のＹｅｓ）、取付位置を確定したことを通知する通知信号を通信Ｉ／Ｆ１０４から入力装置１に送信してもよい（ＳＢ７）。この場合、入力装置１の信号処理部７は、通信Ｉ／Ｆ７３が表示装置１００から送信された通知信号を受信すると、表示装置１００において入力装置１の取付位置が確定したと判断してもよい。なお、通信Ｉ／Ｆ７３，１０４は、電波を媒体とした無線通信を行っているが、通信Ｉ／Ｆ７３，１０４は、光を媒体とした光無線通信を行ってもよい。通信Ｉ／Ｆ７３が光を媒体とした光無線通信を行う場合、通信Ｉ／Ｆ７３において光を受光する受光部は、Ａ相太陽電池４ａ又はＢ相太陽電池４ｂで兼用されてもよいし、通信用に設けられた受光素子でもよい。
【０１３９】
また、光発電部４の構成は、Ａ相太陽電池４ａ及びＢ相太陽電池４ｂを有する構成であったが、１つのみの太陽電池を有する構成であってもよい。この構成の場合、遮光板２３５の各貫通孔２３６は、例えば径方向に対して非対称な三角形状を有する。この構成により、調整部材は、回転操作部３０１が一方向に回転する場合と、回転操作部３０１が逆方向に回転する場合とで、１つのみの太陽電池から構成される光発電部４に入射する光の光量に互いに異なる変化を与えることができる。これにより、信号処理部７は、１つのみの太陽電池で回転操作部３０１の両方向の回転移動を検知できる。
【０１４０】
また、図９Ａ及び図９Ｂに示される第１方向と第２方向とは、互いに直交していたが、互いに直交していなくてもよい。入力装置１の取付位置を探索するためには、第１方向と第２方向とは互いに交わる方向であればよい。
【０１４１】
また、Ａ相太陽電池４ａの出力の波形とＢ相太陽電池４ｂの出力の波形との位相差は、π／４に限定されない。上記の位相差が０またはπ／２でなければ、信号処理部７は回転操作部３０１の両方向の回転移動を検知できる。同様に、遮光板２２５，２２６，２３６から構成される調整部材は、上記の位相差がπ／４にならないように構成されていてもよい。
【０１４２】
（実施形態２）
本実施形態の入力装置１Ａは、ロック機構９１（図１１Ａ及び図１１Ｂ参照）を備える点で、実施形態１の入力装置１と相違する。ロック機構９１は、使用者の意図しない操作による操作部３Ａの移動によって検知情報が送信されることを抑制する。以下、実施形態１と同様の構成については、共通の符号を付して適宜説明を省略する。「操作部３Ａ」、「スライダ８１Ａ」は、それぞれ実施形態１の「操作部３」、「スライダ８１」に相当する。
【０１４３】
入力装置１Ａは、ロック機構９１を備えている。ロック機構９１は、入力装置１Ａが位置決め状態にある場合に回転操作部３０１の移動を制止する。
【０１４４】
ロック機構９１は、筐体２に対して移動可能な可動部材を有する。ロック機構９１は、筐体２に対する操作部３Ａの移動を制止する状態と、筐体２に対する操作部３Ａの移動を制止しない状態とを、可動部材の移動によって切り替える。可動部材は、例えばスライダ８１Ａである。
【０１４５】
ロック機構９１の具体例について、図１１Ａ及び図１１Ｂを参照して説明する。図１１Ａは、入力装置１Ａの本固定状態のロック機構９１を下方から見た斜視図である。図１１Ｂは、入力装置１Ａの位置決め状態のロック機構９１を下方から見た斜視図である。図１１Ａ及び図１１Ｂの例では、操作部３Ａは回転操作部である。ロック機構９１は、図１１Ａに示すように、操作部３Ａに設けられた複数の第１制止部９１３と、可動部材（ここではスライダ８１Ａ）に設けられた第２制止部９１２とを有している。ロック機構９１は、図１１Ｂに示すように、複数の第１制止部９１３のいずれかと第２制止部９１２とが嵌り合うことによって、筐体２に対する操作部３Ａの移動を制止するように構成されている。各第１制止部９１３は、操作部３Ａの移動方向（操作部３Ａの周方向）において所定間隔で設けられている。
【０１４６】
図１１Ａ及び図１１Ｂの例では、各第１制止部９１３は、操作部３Ａのフランジ部３４の下面に、操作部３Ａの周方向に等間隔で設けられている。各第１制止部９１３は、上方に窪む凹部であって、回転軸Ｚ１に向けて開放されている。第２制止部９１２は、可動部材としてのスライダ８１Ａの左端部に設けられており、スライダ８１Ａの上面から上方に突出する凸部である。第２制止部９１２の先端部（上端部）は操作部３Ａの下側凹所３６（図１参照）内に挿入されている。
【０１４７】
これにより、スライダ８１Ａが可動範囲の右端位置に位置する状態（本固定状態）では、図１１Ａに示すように、複数の第１制止部９１３のいずれにも第２制止部９１２が嵌らず、操作部３Ａは周方向に移動可能（回転可能）となる。つまり、ロック機構９１は筐体２に対する操作部３Ａの移動を制止しない状態となり、操作部３Ａは回転操作可能となる。
【０１４８】
一方、スライダ８１Ａが可動範囲の左端位置に位置する状態（位置決め状態）では、図１１Ｂに示すように、複数の第１制止部９１３のいずれかに第２制止部９１２が嵌り込むため、操作部３Ａは周方向への移動が制止される。つまり、ロック機構９１は筐体２に対する操作部３Ａの移動を制止する状態となり、操作部３Ａの回転操作が規制される。
【０１４９】
なお、入力装置１Ａの仮固定状態において、ロック機構９１の状態は、筐体２に対する操作部３Ａの移動を制止しない状態であってもよいし、筐体２に対する操作部３Ａの移動を制止する状態であってもよい。
【０１５０】
この構成によれば、ロック機構９１が筐体２に対する操作部３Ａの移動を制止することで、位置決め状態において、使用者の意図しない操作による操作部３の移動が抑制される。すなわち、ロック機構９１は、位置決め状態において誤って検知情報が送信されることを抑制できる。例えば表示装置１００に入力装置１Ａを取り付ける際などに、操作者が操作部３Ａを掴んだとしても、ロック機構９１が、操作部３Ａの移動を制止していれば、誤って検知情報が送信されることを抑制できる。また、各第１制止部９１３は操作部３Ａの移動方向において所定間隔で設けられている。そのため、操作部３Ａの操作が完了した際の任意の操作部３Ａの位置から操作部３Ａを殆ど動かすことなく、ロック機構９１は筐体２に対する操作部３Ａの移動を制止できる。
【０１５１】
なお、複数の第１制止部９１３と第２制止部９１２との凹、凸の関係は、図１１Ａの例とは逆であってもよい。つまり、各第１制止部９１３が凸部であって、第２制止部９１２が凹部であってもよい。
【０１５２】
また、本実施形態のように、可動部材は、取付部８による入力装置１Ａの表示装置１００への保持力を変化させるためのスライダ８１Ａであることが好ましい。これにより、ロック機構９１は、位置決め状態において、使用者の意図しない操作による操作部３Ａの移動によって検知情報が送信されることを抑制できる。また、ロック機構９１は、例えば表示装置１００から入力装置１Ａが取り外された状態で操作者が操作部３Ａを意図せずに操作してしまっても、誤って検知情報が送信されることを抑制できる。
【０１５３】
ただし、可動部材がスライダ８１Ａであることは入力装置１Ａに必須の構成ではない。可動部材は、スライダ８１Ａと別に設けられていてもよい。
【０１５４】
その他の構成及び機能は実施形態１と同様である。実施形態２で説明した構成は、実施形態１で説明した各構成（変形例を含む）と適宜組み合わせて適用可能である。
【０１５５】
（実施形態３）
本実施形態の入力装置１Ｂは、図１２及び図１３に示すように、回転操作部３０１の操作を検知するための受光素子７６と、特定領域を検知するための光検知素子７７とを備えている点で、実施形態１の入力装置１と相違する。実施形態１と同様の構成については、共通の符号を付して適宜説明を省略する。「筐体２Ｂ」、「第１のケース２１Ｂ」、「第２のケース２２Ｂ」、「光発電部４Ｂ」、「信号処理部７Ｂ」、「遮光板２３５Ｂ」は、それぞれ実施形態１の「筐体２」、「第１のケース２１」、「第２のケース２２」、「光発電部４」、「信号処理部７」、「遮光板２３５」に相当する。
【０１５６】
第１のケース２１Ｂの形状は、上下方向に扁平な円盤状である。第１のケース２１Ｂは光の透過性が低い材料（例えばポリスチレン、ポリエチレンなどの合成樹脂、又は金属）で形成されている。第１のケース２１Ｂには、孔２１１の周りの外周部分に、第１のケース２１Ｂをそれぞれ上下方向に貫通する４つの貫通孔２１６（透過部）が設けられている。
【０１５７】
第２のケース２２Ｂの形状は、上下方向に扁平な円盤状である。第２のケース２２Ｂは光の透過性が低い材料（例えばポリスチレン、ポリエチレンなどの合成樹脂、又は金属）で形成されている。
【０１５８】
第２のケース２２Ｂの上面の外周部分には、図１２及び図１４に示すように、光発電部４Ｂを構成する太陽電池４１が配置される。太陽電池４１の平面視の形状は、円環の一部が欠けたような形状（Ｃ形）である。太陽電池４１は、受光面が下向きとなるように第２のケース２２Ｂの上側に取付けられている。第２のケース２２Ｂには、太陽電池４１が配置される部位に、第２のケース２２Ｂをそれぞれ上下方向に貫通する４つの貫通孔２２３（透過部）が設けられている。第２のケース２２Ｂが第１のケース２１Ｂの上側に取付けられた状態では、第２のケース２２Ｂの貫通孔２２３と第１のケース２１Ｂの貫通孔２１６とが上下方向において重なる。すなわち、各貫通孔２１６，２２３が、筐体２の下側から光発電部４Ｂに光を透過させる透過部となる。なお、透過部となる貫通孔２１６，２２３は４つずつ設けられているが、貫通孔２１６，２２３の数は４つに限定されない。信号処理部７を動作させるのに必要な電力を発生できるだけの光を透過できるのであれば、貫通孔２１６，２２３の数、形状、大きさは適宜変更が可能である。
【０１５９】
第２のケース２２Ｂの上部において、太陽電池４１の上側に位置するように、遮光性を有する材料（例えば金属）で形成された遮光板２３５Ｂ（遮光部）が配置される。遮光板２３５Ｂには、回転軸Ｚ１に向けて開放された複数のスリット２３８が設けられている。各スリット２３８は、遮光板２３５の周方向において一定の間隔で設けられている。図１４の例では、各スリット２３８の２つの長辺（径方向と平行な２つの辺）がなす角度はθ３であり、各スリット２３８は周方向において一定の角度（２×θ３）ごとに設けられている。遮光板２３５Ｂは、回転操作部３０１のフランジ部３４の下面に取付けられている。回転操作部３０１の回転とともに遮光板２３５Ｂが回転することで、遮光板２３５Ｂが受光素子７６に対して回転する。
【０１６０】
また、第２のケース２２の上面の中央には、プリント基板７０１がネジなどで取付けられている。プリント基板７０１は円板形の基板である。プリント基板７０１には信号処理部７Ｂの電子部品が実装されている。信号処理部７Ｂの回路は太陽電池４１と電気的に接続されている。プリント基板７０１には、受光素子７６と光検知素子７７とが実装されている。受光素子７６は、受光素子７６ａと受光素子７６ｂとを有する。受光素子７６ａは、第１受光素子の一例である。受光素子７６ｂは、第２受光素子の一例である。受光素子７６ａ，７６ｂ及び光検知素子７７はそれぞれフォトダイオードである。
【０１６１】
受光素子７６ａ，７６ｂは、太陽電池４１の途切れ部４２の上側であって、遮光板２３５Ｂよりも上側に配置されている。受光素子７６ａ，７６ｂは、受光面を下向きにして周方向に並んで配置されている。受光素子７６ａ，７６ｂは、遮光板２３５Ｂにおいてスリット２３８が設けられた内周部分の上側に位置している。受光素子７６ａ，７６ｂには、スリット２３８を通過した光が入射する。ここで、受光素子７６ａ，７６ｂは周方向において角度θ４だけ離れて配置されている。この角度θ４は、スリット２３８の角度幅θ３の２．５倍となっている。
【０１６２】
したがって、受光素子７６ａ，７６ｂの一方が、いずれかのスリット２３８の全体に上下方向において重なっている場合、受光素子７６ａ，７６ｂの他方は、いずれかのスリット２３８の半分にしか重なっていない。このとき、受光素子７６ａ，７６ｂの他方の受光量は、最大時の受光量の半分になる。
【０１６３】
回転操作部３０１の回転とともに遮光板２３５Ｂが回転すると、受光素子７６ａ，７６ｂのそれぞれとスリット２３８との重なり具合が変化する。そして、受光素子７６ａ，７６ｂのそれぞれに入射する光量が変化することになる。よって、回転操作部３０１を一定速度で一方向に回転させた場合、受光素子７６ａ，７６ｂの出力（出力電流又は出力電圧）の各波形は、一定周期を有する波形である。本実施形態のようにスリット２３８が長方形状を有する場合、上記の各出力の波形は三角波である。より詳細には、受光素子７６ａの出力の波形は、受光素子７６ｂの出力の波形に対して、位相がπ／４だけずれたような波形になる。そして、受光素子７６ａに電気的に接続されたＡ相パルス発生回路７４ａ及び受光素子７６ｂに電気的に接続されたＢ相パルス発生回路７４ｂ（図１５参照）は、それぞれパルス信号Ｐ１，Ｐ２を出力する。パルス信号Ｐ１，Ｐ２は、互いに、周期が同じで位相がπ／４だけずれたパルス信号である。また、回転操作部３０１の操作方向によって、パルス信号Ｐ１に対してパルス信号Ｐ２が進み位相になるか遅れ位相になるかが切り替わる。すなわち、遮光板２３５Ｂは、回転操作部３０１が一方向に回転する場合と、回転操作部３０１が逆方向に回転する場合とで、光発電部４に入射する光の光量に異なる変化を与えるように形成されている。言い換えると、遮光板２３５Ｂは、回転操作部３０１の回転時に、受光素子７６ａに入射する光の光量と受光素子７６ｂに入射する光の光量とに、互いに異なる位相を与える。
【０１６４】
したがって、信号処理部７Ｂの検知回路７２は、Ａ相パルス発生回路７４ａ，Ｂ相パルス発生回路７４ｂからそれぞれ入力されるパルス信号Ｐ１，Ｐ２をもとに、回転操作部３０１の回転量及び回転方向を検知できる。信号処理部７Ｂは、検知回路７２の検知結果をもとに回転操作部３０１の操作に応じて生成された検知情報を、通信Ｉ／Ｆ７３から無線通信により送信する。
【０１６５】
一方、光検知素子７７は、太陽電池４１よりも下側であって、第１のケース２１の貫通孔２１６内に、受光面を下向きにして配置されている。したがって、光検知素子７７には、筐体２の下側から、貫通孔２１６を通して光が入射する。よって、入力装置１Ｂが表示装置１００の取付面１０１（表示面）に取付けられた状態では、表示面から放射された光が光検知素子７７に入射可能である。すなわち、光検知素子７７は、筐体２において取付部８が配置された側から入射する光を受光可能な位置に配置されている。
【０１６６】
光検知素子７７は特定領域を検知するために使用される。表示装置１００の表示面に特定領域が表示されている状態で、光検知素子７７の出力に所定の変化が発生すると、信号処理部７Ｂは、入力装置１Ｂの取付位置が特定領域に重なったと判断する。特定領域から出射される光エネルギーは、例えば、表示面における特定領域以外の領域から出射される光エネルギーよりも小さい。光検知素子７７の出力の低下幅が所定の規定値を超えると、信号処理部７Ｂは、入力装置１Ｂの取付位置が特定領域に重なったと判断する。そして、信号処理部７Ｂは、入力装置１Ｂの取付位置が特定領域に重なったと判断すると、通信Ｉ／Ｆ７３から表示装置１００に通知情報を無線通信により送信する。これにより、表示装置１００は、通知情報を受信したときの特定領域の位置から入力装置１Ｂの位置を推定できる。
【０１６７】
以上説明した本実施形態の入力装置１Ｂは、受光素子７６と遮光板２３５Ｂとをさらに備えている。受光素子７６は、筐体２において取付部８が配置された側から入射する光を受光可能な位置に配置されている。遮光板２３５Ｂは、回転操作部３０１の移動に連動して、受光素子７６に入射する光の光量を変化させる。
【０１６８】
これにより、信号処理部７Ｂは、受光素子７６の出力の変化をもとに回転操作部３０１の移動を検知し、回転操作部３０１の移動の検知結果に応じて生成される検知情報を無線通信により送信することができる。
【０１６９】
また、本実施形態の入力装置１Ｂでは、回転操作部３０１は、筐体２に対して両方向に回転可能に配置されている。遮光板２３５Ｂは、回転操作部３０１が一方向に回転する場合と、回転操作部３０１が逆方向に回転する場合とで、受光素子７６に入射する光の光量に互いに異なる変化を与えるように形成されている。
【０１７０】
これにより、信号処理部７は、受光素子７６の出力の変化をもとに回転操作部３０１の両方向の回転移動を検知できる。そのため、信号処理部７は、回転操作部３０１の両方向の回転移動の検知結果に応じて生成される検知情報を無線通信により送信することができる。
【０１７１】
また、本実施形態の入力装置１では、回転操作部３０１は、筐体２に対して両方向に回転可能に配置されている。受光素子７６は、受光素子７６ａと受光素子７６ｂとを有している。遮光板２３５Ｂは、回転操作部３０１の回転時に、受光素子７６ａに入射する光の光量と受光素子７６ｂに入射する光の光量とに、互いに異なる位相を与える。
【０１７２】
これにより、信号処理部７は、受光素子７６ａの出力と受光素子７６ｂの出力との位相差をもとに回転操作部３０１の両方向の回転移動を検知できる。そのため、信号処理部７は、回転操作部３０１の両方向の回転移動の検知結果に応じて生成される検知情報を無線通信により送信することができる。
【０１７３】
また、本実施形態の入力装置１Ｂでは、信号処理部７は、光検知素子７７の出力に所定の変化が発生したときに、通知情報を無線通信により送信してもよい。そして、表示装置１００の制御回路１０３は、表示面に特定領域が表示された状態で通知情報を受信すると、通知情報を受信したときの特定領域の位置から、表示面における入力装置１Ｂの取付位置を推定する。
【０１７４】
このように、入力装置１Ｂは、光検知素子７７を用いて特定領域を検知できる。そのため、表示装置１００は、入力装置１Ｂから受信した通知情報をもとに入力装置１Ｂの取付位置を推定できる。
【０１７５】
なお、入力装置１Ｂにおいて、受光素子７６ａ，７６ｂのいずれかが常に表示装置１００からの光を受光可能であれば、受光素子７６ａ，７６ｂで光検知素子７７を代用してもよい。
【０１７６】
また、受光素子７６の構成は、受光素子７６ａ及び受光素子７６ｂを有する構成であったが、１つのみの受光素子を有する構成であってもよい。この構成の場合、遮光板２３５Ｂの各スリット２３８は、例えば径方向に対して非対称な三角形状を有する。この構成により、遮光板２３５Ｂは、回転操作部３０１が一方向に回転する場合と、回転操作部３０１が逆方向に回転する場合とで、１つのみの受光素子から構成される受光素子７６に入射する光の光量に互いに異なる変化を与えることができる。これにより、信号処理部７は、１つのみの受光素子で回転操作部３０１の両方向の回転移動を検知できる。
【０１７７】
また、実施形態３の変形例として、入力装置１Ｂは、Ａ相パルス発生回路７４ａに電気的に接続される受光素子を１つのみ備え、太陽電池４１がＢ相パルス発生回路７４ｂに電気的に接続されてもよい。この場合、遮光板２３５Ｂは、太陽電池４１の下側に配置される。遮光板２３５Ｂは、回転操作部３０１の回転時に、受光素子に入射する光の光量と太陽電池４１に入射する光の光量とに、互いに異なる位相を与える。
【０１７８】
以上の変形例の構成により、信号処理部７Ｂの検知回路７２は、Ａ相パルス発生回路７４ａ，Ｂ相パルス発生回路７４ｂからそれぞれ入力されるパルス信号Ｐ１，Ｐ２をもとに、回転操作部３０１の回転量及び回転方向を検知できる。これにより、変形例の入力装置１Ｂは、部品点数を削減できる。
【０１７９】
その他の構成及び機能は実施形態１と同様である。実施形態３で説明した構成は、実施形態１及び２で説明した各構成（変形例を含む）と適宜組み合わせて適用可能である。
【０１８０】
（他の実施形態）
以上のように、本出願において開示する技術の例示として、実施形態１〜３を説明した。しかしながら、本開示における技術は、これに限定されず、変更、置き換え、付加、省略などを行った実施形態にも適用できる。また、上記実施形態１〜３で説明した各構成要素を組み合わせて、新たな実施形態とすることも可能である。
【０１８１】
そこで、以下、他の実施形態を例示する。
【０１８２】
他の実施形態に係る表示装置１００は、タッチパネルディスプレイ１０２と、通信Ｉ／Ｆ１０４と、制御回路１０３とを備えている。タッチパネルディスプレイ１０２は、入力装置１が取り付けられる取付面１０１を有する。通信Ｉ／Ｆ１０４は、入力装置１から無線通信により送信された信号を受信する。制御回路１０３は、タッチパネルディスプレイ１０２が表示する表示内容を制御する。そして、制御回路１０３は、入力装置１から無線通信により送信される情報の受信待ちを行う受信待機状態では、取付面１０１において入力装置１の取付位置を発光させる。制御回路１０３は、入力装置１の取付位置以外の領域に入力装置１を用いた操作に関連する表示内容をタッチパネルディスプレイ１０２に表示させる。
【０１８３】
これにより、表示装置１００と入力装置１との間を電線などで接続しなくても、取付面１０１に取り付けられた入力装置１を用いた操作が可能になる。
【０１８４】
他の実施形態に係る表示装置１００において、制御回路１０３は、位置が時間の経過とともに移動する特定領域をタッチパネルディスプレイ１０２に表示させる。特定領域から出射される光エネルギーは、取付面１０１における特定領域以外の領域から出射される光エネルギーとは異なる。そして、制御回路１０３は、タッチパネルディスプレイ１０２が特定領域を表示している状態で入力装置１から特定領域を検知したことを通知する通知情報を受信した場合、通知情報を受信したときの特定領域の位置から、取付面１０１における入力装置１の取付位置を推定する。
【０１８５】
これにより、表示装置１００は、入力装置１の取付位置を測定するためのセンサなどを備えなくても、入力装置１の取付位置を推定できる。
【０１８６】
他の実施形態に係るデータ入力方法は、表示装置１００の取付面１０１に取り付けられた入力装置１を用いて表示装置１００に情報を入力する情報入力方法である。このデータ入力方法は、取付面１０１から入力装置１に照射された光で光発電を行うステップと、入力装置１を用いた操作内容を検知するステップと、光発電で発生した電力を利用して、操作内容に応じた検知情報を無線通信により送信するステップとを含む。
【０１８７】
これにより、入力装置１は、取付面１０１から入力装置１に照射された光で発電することによって、動作に必要な電力を得ることができる。そして、入力装置１は、操作内容に応じた検知情報を無線通信により送信する。そのため、表示装置１００は、タッチパネルディスプレイ１０２を使用しなくても入力装置１を用いた操作を検知することができる。
【０１８８】
他の実施形態に係るデータ入力方法は、上記のデータ入力方法に加えて、取付面１０１において入力装置１の取付位置を発光させるステップと、入力装置１から無線通信により送信された検知情報を受信するステップと、をさらに含む。
【０１８９】
このように、表示装置１００は、取付面１０１において入力装置１の取付位置を発光させているから、入力装置１は光発電により動作に必要な電力を得ることができる。
【０１９０】
他の実施形態に係るデータ入力方法は、上記のいずれかのデータ入力方法に加えて、取付面１０１における入力装置１の取付位置を探索する探索処理において、取付面１０１の全体を発光させるステップを含む。さらに、このデータ入力方法は、取付面１０１の全体を発光させた後に、位置が時間の経過とともに移動する特定領域をタッチパネルディスプレイ１０２に表示させるステップを含む。
【０１９１】
このように、表示装置１００が取付面１０１の全体を発光させることで、入力装置１が光発電を行って動作に必要な電力を得ることができる。その後、表示装置１００が取付面１０１に特定領域を表示させているので、入力装置１は入射する光エネルギーの変化から取付位置を検知できる。
【０１９２】
他の実施形態に係るデータ入力方法は、上記のいずれかのデータ入力方法に加えて、探索処理において、取付面１０１に特定領域が表示されている状態で、取付面１０１から入力装置１に照射された光で発生した発電量に所定の変化があると、入力装置１が無線通信により通知情報を送信するステップを含む。さらに、このデータ入力方法は、表示装置１００が通知情報を受信したときの特定領域の位置から、取付面１０１における入力装置１の取付位置を推定するステップを含む。
【０１９３】
このように、入力装置１は、発電量に所定の変化があると通知情報を無線通信により送信する。そのため、入力装置１は、光発電のために備えた光発電部４を、取付位置の探索にも利用できる。
【０１９４】
他の実施形態に係るデータ入力方法は、上記のいずれかのデータ入力方法に加えて、入力装置１の取付位置の検知結果に応じて、取付面１０１において入力装置１の取付位置の周りに入力装置１の操作に関連した表示内容を表示するステップを含む。
【０１９５】
これにより、表示装置１００は、入力装置１の取付位置に応じて、操作に関連した表示内容を見やすい位置に表示することができる。
【０１９６】
他の実施の形態に係るデータ入力方法は、上記のいずれかのデータ入力方法に加えて、取付面１０１において入力装置１の取付位置を検知した結果に応じて、取付面１０１において入力装置１の取付位置を発光させるステップを含む。
【０１９７】
これにより、入力装置１は光発電を行って動作に必要な電力を得ることができる。
【０１９８】
他の実施形態に係るデータ入力方法は、上記のいずれかのデータ入力方法に加えて、取付面１０１において入力装置１の取付位置を検知した結果に応じて、取付面１０１において入力装置１の取付位置を発光させ、かつ、取付面１０１において入力装置１の取付位置の周りに入力装置１の操作に関連した表示内容を表示させるステップを含む。さらに、このデータ入力方法は、入力装置１から無線通信により送信された検知情報を受信した場合に検知情報に応じて取付面１０１の表示内容を制御するステップを含む。
【０１９９】
これにより、入力装置１は光発電を行って動作に必要な電力を得ることができる。また、表示装置１００は、入力装置１の取付位置に応じて、操作に関連した表示内容を見やすい位置に表示することができる。
【０２００】
他の実施形態に係るデータ入力方法は、取付面１０１に取り付けられた入力装置１から操作に応じた検知情報が無線通信により送信される表示装置１００のデータ入力方法である。このデータ入力方法は、入力装置１から無線通信により送信される情報の受信待ちを行う受信待機状態において、取付面１０１における入力装置１の取付位置を発光させ、かつ、取付面１０１における入力装置１の取付位置以外の部位に入力装置１を用いた入力操作に関連する表示内容を表示するステップを含む。さらに、このデータ入力方法は、入力装置１から無線信号により送信される検知情報を受信して、入力装置１を用いた操作内容を検知するステップを含む。
【０２０１】
このように、表示装置１００が取付面１０１において入力装置１の取付位置を発光させることで、入力装置１は光発電を行うことができる。また、表示装置１００が取付面１０１において入力装置１の取付位置以外の部位に表示内容を表示しているから、表示内容が見やすい位置に表示される。さらに、表示装置１００と入力装置１との間を電線などで接続する必要なく、取付面１０１に取り付けられた入力装置１を用いた操作が可能になる。
【０２０２】
他の実施形態に係るデータ入力方法は、上記のデータ入力方法に加えて、取付面１０１に特定領域を表示させる前に、取付面１０１の全体を発光させるステップを含む。
【０２０３】
このように、入力装置１の取付位置が特定されていない状態で、表示装置１００が、取付面１０１の全体を発光させている。そのため、入力装置１は光発電を行って動作に必要な電力を得ることができる。
【０２０４】
他の実施形態に係るデータ入力方法は、上記のいずれかのデータ入力方法に加えて、取付面１０１に特定領域を表示させている状態で、入力装置１が特定領域を検知したことを示す通知情報を入力装置１から無線通信により受信した場合、通知情報を受信したときの特定領域の位置から、取付面１０１における入力装置１の取付位置を推定するステップを含む。
【０２０５】
これにより、表示装置１００は、入力装置１から通知情報を受信したときの特定領域の位置から、入力装置１の取付位置を推定することができる。
【０２０６】
他の実施形態に係るデータ入力方法は、上記のいずれかのデータ入力方法に加えて、検知情報に基づいて検知した操作内容に応じた表示内容をタッチパネルディスプレイ１０２に表示させるステップを含む。
【０２０７】
これにより、表示装置１００は、入力装置１の取付位置に応じて、入力装置１によって遮られない位置に、操作内容に応じた表示内容を表示することができる。
【０２０８】
他の実施形態に係るプログラムは、表示装置１００に、上記のいずれかのデータ入力方法を実行させるためのプログラムである。
【符号の説明】
【０２０９】
１，１Ａ，１Ｂ  入力装置
２，２Ｂ  筐体
３，３Ａ  操作部
４，４Ｂ  光発電部
４ａ  Ａ相太陽電池（第１光発電部）
４ｂ  Ｂ相太陽電池（第２光発電部）
７，７Ｂ  信号処理部
８  取付部
１０  入力システム
４１  太陽電池
７２  検知回路
７６  受光素子
７６ａ  受光素子（第１受光素子）
７６ｂ  受光素子（第２受光素子）
７７  光検知素子
８１，８１Ａ  スライダ
１００  表示装置
１０１  取付面（表示面，被取付部）
１０２  タッチパネルディスプレイ（表示部）
１０３  制御回路
１０４  通信部（通信Ｉ／Ｆ）
２１５  周壁（接触部）
２２５，２２６，２３５  遮光板（調整部材）
２３５Ｂ  遮光板（遮光部）
３０１  回転操作部
３０２  押操作部（通知操作部）
Ｖ１，Ｖ２  特定領域
Ｍ１  表示内容
【図１】
2017130677.tif 000003
【図２】
2017130677.tif 000004
【図３】
2017130677.tif 000005
【図４Ａ】
2017130677.tif 000006
【図４Ｂ】
2017130677.tif 000007
【図５Ａ】
2017130677.tif 000008
【図５Ｂ】
2017130677.tif 000009
【図５Ｃ】
2017130677.tif 000010
【図６Ａ】
2017130677.tif 000011
【図６Ｂ】
2017130677.tif 000012
【図６Ｃ】
2017130677.tif 000013
【図７】
2017130677.tif 000014
【図８】
2017130677.tif 000015
【図９Ａ】
2017130677.tif 000016
【図９Ｂ】
2017130677.tif 000017
【図９Ｃ】
2017130677.tif 000018
【図１０】
2017130677.tif 000019
【図１１Ａ】
2017130677.tif 000020
【図１１Ｂ】
2017130677.tif 000021
【図１２】
2017130677.tif 000022
【図１３】
2017130677.tif 000023
【図１４】
2017130677.tif 000024
【図１５】
2017130677.tif 000025
【国際調査報告】
2017130677.tif 000026
2017130677.tif 000027